(57)【要約】【課題】  加熱電源部の入力電力異常時に定着不良の発生を抑制し、また、加熱電源部の入力電力異常時における定着器の誤動作を抑制すると共に使い勝手の良い画像形成装置を提供することである。【解決手段】  商用電源ＡＣから供給された電力を誘導コイル１３へ供給する誘導加熱電源部３０ａと、商用電源ＡＣから誘導加熱電源部３０ａへ供給される電圧値を検出する電圧検出部３１ａと、電圧検出部３１ａにより検出された第１の電圧値が基準電圧値よりも小さいと判断されたら基準時間を計時するタイマと、第１の電圧値が基準電圧値よりも小さいと判断した場合、誘導加熱電源部３０ａから誘導コイル１３への電力の供給を停止させ、第２の電圧値が基準電圧値よりも小さいと判断した場合、画像形成するための動作の停止制御を行う誘導加熱制御部３４ａ及び本体制御部４１ａと、を備える画像形成装置。【選択図】図２
2005115323.tif 000002
【特許請求の範囲】
【請求項１】
熱定着のための加熱手段を有する定着器と、
前記定着器に接続され、商用電源から供給された電力を前記加熱手段へ供給するための加熱電源部と、
前記商用電源から前記加熱電源部へ供給される電圧値を検出する電圧検出手段と、
前記電圧検出手段により検出された第１の電圧値が予め定められた基準電圧値よりも小さいと判断された場合、予め定められた基準時間を計時する計時手段と、
前記第１の電圧値と前記基準電圧値とを比較し、前記第１の電圧値が前記基準電圧値よりも小さいと判断した場合、前記加熱電源部から前記加熱手段への電力の供給を停止させ、前記基準時間経過後に前記電圧検出手段により検出された第２の電圧値と前記基準電圧値とを比較し、前記第２の電圧値が前記基準電圧値よりも小さいと判断した場合、画像形成するための動作の停止制御を行う制御手段と、
を備えることを特徴とする画像形成装置。
【請求項２】
請求項１に記載の画像形成装置において、
前記制御手段は、前記第１の電圧値が前記基準電圧値よりも小さいと判断した後、前記基準時間以内に前記電圧検出手段により検出された第３の電圧値と前記基準電圧値と比較し、前記第３の電圧値が前記基準電圧値以上と判断した場合、前記加熱手段への電力の供給を再開させること、
を特徴とする画像形成装置。
【請求項３】
請求項１又は２に記載の画像形成装置において、
前記定着器は、誘導コイルを有する誘導加熱定着器であり、
前記加熱電源部は、前記商用電源から供給された電力を前記誘導コイルへ供給すること、を特徴とする画像形成装置。
【請求項４】
請求項１から３のいずれか一項に記載の画像形成装置において、
前記定着器の温度を検出する手段又は前記定着器の消費電力を検出する手段を備え、
前記制御手段は、前記第１の電圧値が前記基準電圧値よりも小さいと判断した後、前記基準時間経過後に前記電圧検出手段により検出された第２の電圧値と前記基準電圧値とを比較し、前記第２の電圧値が前記基準電圧値よりも小さいと判断し、且つ、検出された温度が基準温度より小さいと判断又は検出された消費電力が基準電力よりも小さいと判断した場合、画像形成するための動作の停止制御を行うこと、
を特徴とする画像形成装置。
【請求項５】
請求項１から４のいずれか一項に記載の画像形成装置において、
前記定着器の温度を検出する手段又は前記定着器の消費電力を検出する手段を備え、
前記制御手段は、前記第１の電圧値が前記基準電圧値よりも小さいと判断した後に前記基準時間経過した後、検出された温度が予め定められた基準温度以上の場合又は検出された消費電力が予め定められた基準電力以上の場合、且つ、前記電圧検出手段により検出された前記第４の電圧値が前記基準電圧値以上の場合、前記加熱手段への電力の供給を再開し、前記検出された温度が前記基準温度より小さい場合又は前記検出された消費電力が前記基準電力よりも小さい場合、画像形成するための動作の停止制御を行うこと、
を特徴とする画像形成装置。
【請求項６】
請求項１から５のいずれか一項に記載の画像形成装置において、
前記電圧検出手段により検出された第１の電圧値と予め定められた基準電圧値とが比較され、前記第１の電圧値が前記基準電圧値よりも小さいと判断された場合、前記定着器の低電圧異常を通知するための通知手段を備えること、
を特徴とする画像形成装置。
【請求項７】
請求項１から６のいずれか一項に記載の画像形成装置において、
前記制御手段が画像形成するための動作の停止制御を行う場合、画像形成するための動作を停止する旨を通知するための通知手段を備えること、
を特徴とする画像形成装置。
【請求項８】
誘導コイルを有する誘導加熱定着器と、
前記誘導加熱定着器に接続され、商用電源から供給された電力を前記誘導コイルへ供給するための加熱電源部と、
前記商用電源から前記加熱電源部へ供給される電圧値を検出する電圧検出手段と、
前記電圧検出手段により検出された第１の電圧値と予め定められた基準電圧値とを比較し、前記第１の電圧値が基準電圧値よりも小さいと判断した場合、前記加熱電源部から前記誘導コイルへの電力の供給を停止させた後に画像形成するための動作の停止制御を行う制御手段と、を備えること、
を特徴とする画像形成装置。
【請求項９】
請求項８に記載の画像形成装置において、
前記電圧検出手段により検出された第１の電圧値と予め定められた基準電圧値とが比較され、前記第１の電圧値が前記基準電圧値よりも小さいと判断された場合、前記誘導加熱定着器の低電圧異常を通知するための通知手段を備えること、
を特徴とする画像形成装置。
【請求項１０】
請求項８又は９に記載の画像形成装置において、
前記制御手段が画像形成するための動作の停止制御を行う場合、画像形成するための動作を停止する旨を通知するための通知手段を備えること、
を特徴とする画像形成装置。
【請求項１１】
請求項８から１０のいずれか一項に記載の画像形成装置において、
前記第１の電圧値が前記基準電圧値よりも小さいと判断された場合、予め定められた基準時間を計時する計時手段と、を備え、
前記制御手段は、前記第１の電圧値が前記基準電圧値よりも小さいと判断した後、前記基準時間経過後に前記電圧検出手段により検出された第２の電圧値と前記基準電圧値とを比較し、前記第２の電圧値が前記基準電圧値よりも小さいと判断した場合、画像形成するための動作の停止制御を行い、
前記第１の電圧値が前記基準電圧値よりも小さいと判断した後、前記基準時間経過以内に前記電圧検出手段により検出された第３の電圧値と前記基準電圧値とを比較し、前記第３の電圧値が前記基準電圧値以上と判断した場合、前記誘導コイルへの電力の供給を再開させること、
を特徴とする画像形成装置。
【請求項１２】
請求項１１に記載の画像形成装置において、
前記誘導加熱定着器の温度を検出する手段又は前記誘導加熱定着器の消費電力を検出する手段を備え、
前記制御手段は、前記第１の電圧値が前記基準電圧値よりも小さいと判断した後、前記基準時間経過後に前記電圧検出手段により検出された第２の電圧値と前記基準電圧値とを比較し、前記第２の電圧値が前記基準電圧値よりも小さいと判断し、且つ、検出された温度が予め定められた基準温度よりも小さい又は検出された消費電力が予め定められた基準電力よりも小さいと判断した場合、画像形成するための動作の停止制御を行うこと、
を特徴とする画像形成装置。
【請求項１３】
請求項１１又は１２に記載の画像形成装置において、
前記誘導加熱定着器の温度を検出する手段又は前記誘導加熱定着器の消費電力を検出する手段を備え、
前記制御手段は、前記第１の電圧値が前記基準電圧値よりも小さいと判断した後に前記基準時間経過した後、検出された温度が予め定められた基準温度以上の場合又は検出された消費電力が予め定められた基準電力以上の場合、且つ、前記電圧検出手段により検出された前記第４の電圧値が前記基準電圧値以上の場合、前記誘導コイルへの電力の供給を再開し、前記検出された温度が前記基準温度より小さい場合又は前記検出された消費電力が前記基準電力よりも小さい場合、画像形成するための動作の停止制御を行うこと、
を特徴とする画像形成装置。
【請求項１４】
誘導コイルを有する誘導加熱定着器と、
前記誘導加熱定着器に接続され、商用電源から供給された電力を前記誘導コイルへ供給するための加熱電源部と、
前記加熱電源部から前記誘導コイルへの電力の供給及び画像形成するための動作を制御する制御手段と、を備え、
前記制御手段は、前記誘導加熱定着器への電力を供給した状態で前記画像形成するための動作を実行するタイミングを有するように前記画像形成するための動作を制御すること、
を特徴とする画像形成装置。
【請求項１５】
熱定着のための加熱手段を有する定着器と、
前記定着器に接続され、商用電源から供給された電力を前記加熱手段へ供給するための加熱電源部と、
前記商用電源から前記加熱電源部へ供給される電流値を検出する電流検出手段と、
前記電流検出手段により検出された第１の電流値が予め定められた第１の基準電流値よりも小さいと判断された場合、予め定められた基準時間を計時する計時手段と、
前記第１の電流値と前記第１の基準電流値とを比較し、前記第１の電流値が前記第１の基準電流値よりも小さいと判断した場合、前記加熱電源部から前記加熱手段への電力の供給を停止させ、前記基準時間経過後に前記電流検出手段により検出された第２の電流値と前記第１の基準電流値とを比較し、前記第２の電圧値が前記第２の基準電流値よりも小さいと判断した場合、画像形成するための動作の停止制御を行う制御手段と、
を備えることを特徴とする画像形成装置。
【請求項１６】
請求項１５に記載の画像形成装置において、
前記制御手段は、前記第１の電流値が前記第１の基準電流値よりも小さいと判断した後、前記基準時間以内に前記電流検出手段により検出された第３の電流値と前記第１の基準電流値と比較し、前記第３の電流値が前記第１の基準電流値以上と判断した場合、前記加熱手段への電力の供給を再開させること、
を特徴とする画像形成装置。
【請求項１７】
請求項１５又は１６に記載の画像形成装置において、
前記定着器は、誘導コイルを有する誘導加熱定着器であり、
前記加熱電源部は、前記商用電源から供給された電力を前記誘導コイルへ供給すること、を特徴とする画像形成装置。
【請求項１８】
請求項１５から１７のいずれか一項に記載の画像形成装置において、
前記定着器の温度を検出する手段又は前記定着器の消費電力を検出する手段を備え、
前記制御手段は、前記第１の電流値が前記第１の基準電流値よりも小さいと判断した後、前記基準時間経過後に前記電流検出手段により検出された第２の電流値と前記第１の基準電流値とを比較し、前記第２の電流値が前記第１の基準電流値よりも小さいと判断し、且つ、検出された温度が基準温度より小さいと判断又は検出された消費電力が基準電力よりも小さいと判断した場合、画像形成するための動作の停止制御を行うこと、
を特徴とする画像形成装置。
【請求項１９】
請求項１５から１８のいずれか一項に記載の画像形成装置において、
前記定着器の温度を検出する手段又は前記定着器の消費電力を検出する手段を備え、
前記制御手段は、前記第１の電流値が前記第１の基準電流値よりも小さいと判断した後に前記基準時間経過した後、検出された温度が予め定められた基準温度以上の場合又は検出された消費電力が予め定められた基準電力以上の場合、且つ、前記電流検出手段により検出された前記第４の電流値が前記第１の基準電流値以上の場合、前記加熱手段への電力の供給を再開し、前記検出された温度が前記基準温度より小さい場合又は前記検出された消費電力が前記基準電力よりも小さい場合、画像形成するための動作の停止制御を行うこと、
を特徴とする画像形成装置。
【請求項２０】
請求項１５から１９のいずれか一項に記載の画像形成装置において、
前記電流検出手段により検出された第１の電流値と予め定められた第１の基準電流値とが比較され、前記第１の電流値が前記第１の基準電流値よりも小さいと判断された場合、前記定着器の低電流異常を通知するための通知手段を備えること、
を特徴とする画像形成装置。
【請求項２１】
請求項１５から２０のいずれか一項に記載の画像形成装置において、
前記制御手段が画像形成するための動作の停止制御を行う場合、画像形成するための動作を停止する旨を通知するための通知手段を備えること、
を特徴とする画像形成装置。
【請求項２２】
誘導コイルを有する誘導加熱定着器と、
前記誘導加熱定着器に接続され、商用電源から供給された電力を前記誘導コイルへ供給するための加熱電源部と、
前記商用電源から前記加熱電源部へ供給される電流値を検出する電流検出手段と、
前記電流検出手段により検出された第１の電流値と予め定められた第１の基準電流値とを比較し、前記第１の電流値が第１の基準電流値よりも小さいと判断した場合、前記加熱電源部から前記誘導コイルへの電力の供給を停止させた後に画像形成するための動作の停止制御を行う制御手段と、を備えること、
を特徴とする画像形成装置。
【請求項２３】
請求項２２に記載の画像形成装置において、
前記電流検出手段により検出された第１の電流値と予め定められた第１の基準電流値とが比較され、前記第１の電流値が前記第１の基準電流値よりも小さいと判断された場合、前記誘導加熱定着器の低電流異常を通知するための通知手段を備えること、
を特徴とする画像形成装置。
【請求項２４】
請求項２２又は２３に記載の画像形成装置において、
前記制御手段が画像形成するための動作の停止制御を行う場合、画像形成するための動作を停止する旨を通知するための通知手段を備えること、
を特徴とする画像形成装置。
【請求項２５】
請求項２２から２４のいずれか一項に記載の画像形成装置において、
前記第１の電流値が前記第１の基準電流値よりも小さいと判断された場合、予め定められた基準時間を計時する計時手段と、を備え、
前記制御手段は、前記第１の電流値が前記第１の基準電流値よりも小さいと判断した後、前記基準時間経過後に前記電流検出手段により検出された第２の電流値と前記第１の基準電流値とを比較し、前記第２の電流値が前記第１の基準電流値よりも小さいと判断した場合、画像形成するための動作の停止制御を行い、
前記第１の電流値が前記第１の基準電流値よりも小さいと判断した後、前記基準時間経過以内に前記電流検出手段により検出された第３の電流値と前記第１の基準電流値とを比較し、前記第３の電流値が前記第１の基準電流値以上と判断した場合、前記誘導コイルへの電力の供給を再開させること、
を特徴とする画像形成装置。
【請求項２６】
請求項２５に記載の画像形成装置において、
前記誘導加熱定着器の温度を検出する手段又は前記誘導加熱定着器の消費電力を検出する手段を備え、
前記制御手段は、前記第１の電流値が前記第１の基準電流値よりも小さいと判断した後、前記基準時間経過後に前記電流検出手段により検出された第２の電流値と前記第１の基準電流値とを比較し、前記第２の電流値が前記第１の基準電流値よりも小さいと判断し、且つ、検出された温度が予め定められた基準温度よりも小さい又は検出された消費電力が予め定められた基準電力よりも小さいと判断した場合、画像形成するための動作の停止制御を行うこと、
を特徴とする画像形成装置。
【請求項２７】
請求項２５又は２６に記載の画像形成装置において、
前記誘導加熱定着器の温度を検出する手段又は前記誘導加熱定着器の消費電力を検出する手段を備え、
前記制御手段は、前記第１の電流値が前記第１の基準電流値よりも小さいと判断した後に前記基準時間経過した後、検出された温度が予め定められた基準温度以上の場合又は検出された消費電力が予め定められた基準電力以上の場合、且つ、前記電流検出手段により検出された前記第４の電流値が前記第１の基準電流値以上の場合、前記誘導コイルへの電力の供給を再開し、前記検出された温度が前記基準温度より小さい場合又は前記検出された消費電力が前記基準電力よりも小さい場合、画像形成するための動作の停止制御を行うこと、
を特徴とする画像形成装置。
【請求項２８】
熱定着のための加熱手段を有する定着器と、
前記定着器に接続され、商用電源から供給された電力を前記加熱手段へ供給するための加熱電源部と、
前記商用電源から前記加熱電源部へ供給される電流値を検出する電流検出手段と、
前記電流検出手段により検出された第１の電流値が予め定められた第２の基準電流値よりも大きいと判断された場合、予め定められた基準時間を計時する計時手段と、
前記第１の電流値と前記第２の基準電流値とを比較し、前記第１の電流値が前記第２の基準電流値よりも大きいと判断した場合、前記加熱電源部から前記加熱手段への電力の供給を停止させ、前記基準時間経過後に前記電流検出手段により検出された第２の電流値と前記第２の基準電流値とを比較し、前記第２の電圧値が前記第２の基準電流値よりも大きいと判断した場合、画像形成するための動作の停止制御を行う制御手段と、
を備えることを特徴とする画像形成装置。
【請求項２９】
請求項２８に記載の画像形成装置において、
前記制御手段は、前記第１の電流値が前記第２の基準電流値よりも大きいと判断した後、前記基準時間以内に前記電流検出手段により検出された第３の電流値と前記第２の基準電流値と比較し、前記第３の電流値が前記第２の基準電流値以下と判断した場合、前記加熱手段への電力の供給を再開させること、
を特徴とする画像形成装置。
【請求項３０】
請求項２８又は２９に記載の画像形成装置において、
前記定着器は、誘導コイルを有する誘導加熱定着器であり、
前記加熱電源部は、前記商用電源から供給された電力を前記誘導コイルへ供給すること、を特徴とする画像形成装置。
【請求項３１】
請求項２８から３０のいずれか一項に記載の画像形成装置において、
前記定着器の温度を検出する手段又は前記定着器の消費電力を検出する手段を備え、
前記制御手段は、前記第１の電流値が前記第２の基準電流値よりも大きいと判断した後、前記基準時間経過後に前記電流検出手段により検出された第２の電流値と前記第２の基準電流値とを比較し、前記第２の電流値が前記第２の基準電流値よりも大きいと判断し、且つ、検出された温度が基準温度より小さいと判断又は検出された消費電力が基準電力よりも小さいと判断した場合、画像形成するための動作の停止制御を行うこと、
を特徴とする画像形成装置。
【請求項３２】
請求項２８から３１のいずれか一項に記載の画像形成装置において、
前記定着器の温度を検出する手段又は前記定着器の消費電力を検出する手段を備え、
前記制御手段は、前記第１の電流値が前記第２の基準電流値よりも大きいと判断した後に前記基準時間経過した後、検出された温度が予め定められた基準温度以上の場合又は検出された消費電力が予め定められた基準電力以上の場合、且つ、前記電流検出手段により検出された前記第４の電流値が前記第２の基準電流値以下の場合、前記加熱手段への電力の供給を再開し、前記検出された温度が前記基準温度より小さい場合又は前記検出された消費電力が前記基準電力よりも小さい場合、画像形成するための動作の停止制御を行うこと、
を特徴とする画像形成装置。
【請求項３３】
請求項２８から３２のいずれか一項に記載の画像形成装置において、
前記電流検出手段により検出された第１の電流値と予め定められた第２の基準電流値とが比較され、前記第１の電流値が前記第２の基準電流値よりも大きいと判断された場合、前記定着器の過電流異常を通知するための通知手段を備えること、
を特徴とする画像形成装置。
【請求項３４】
請求項２８から３３のいずれか一項に記載の画像形成装置において、
前記制御手段が画像形成するための動作の停止制御を行う場合、画像形成するための動作を停止する旨を通知するための通知手段を備えること、
を特徴とする画像形成装置。
【請求項３５】
誘導コイルを有する誘導加熱定着器と、
前記誘導加熱定着器に接続され、商用電源から供給された電力を前記誘導コイルへ供給するための加熱電源部と、
前記商用電源から前記加熱電源部へ供給される電流値を検出する電流検出手段と、
前記電流検出手段により検出された第１の電流値と予め定められた第２の基準電流値とを比較し、前記第１の電流値が第２の基準電流値よりも大きいと判断した場合、前記加熱電源部から前記誘導コイルへの電力の供給を停止させた後に画像形成するための動作の停止制御を行う制御手段と、を備えること、
を特徴とする画像形成装置。
【請求項３６】
請求項３５に記載の画像形成装置において、
前記電流検出手段により検出された第１の電流値と予め定められた第２の基準電流値とが比較され、前記第１の電流値が前記第２の基準電流値よりも大きいと判断された場合、前記定着器の過電流異常を通知するための通知手段を備えること、
を特徴とする画像形成装置。
【請求項３７】
請求項３５又は３６に記載の画像形成装置において、
前記制御手段が画像形成するための動作の停止制御を行う場合、画像形成するための動作を停止する旨を通知するための通知手段を備えること、
を特徴とする画像形成装置。
【請求項３８】
請求項３５から３７のいずれか一項に記載の画像形成装置において、
前記第１の電流値が前記第２の基準電流値よりも大きいと判断された場合、予め定められた基準時間を計時する計時手段と、を備え、
前記制御手段は、前記第１の電流値が前記第２の基準電流値よりも大きいと判断した後、前記基準時間経過後に前記電流検出手段により検出された第２の電流値と前記第２の基準電流値とを比較し、前記第２の電流値が前記第２の基準電流値よりも大きいと判断した場合、画像形成するための動作の停止制御を行い、
前記第１の電流値が前記第２の基準電流値よりも大きいと判断した後、前記基準時間経過以内に前記電流検出手段により検出された第３の電流値と前記第２の基準電流値とを比較し、前記第３の電流値が前記第２の基準電流値以下と判断した場合、前記誘導コイルへの電力の供給を再開させること、
を特徴とする画像形成装置。
【請求項３９】
請求項３８に記載の画像形成装置において、
前記誘導加熱定着器の温度を検出する手段又は前記誘導加熱定着器の消費電力を検出する手段を備え、
前記制御手段は、前記第１の電流値が前記第２の基準電流値よりも大きいと判断した後、前記基準時間経過後に前記電流検出手段により検出された第２の電流値と前記第２の基準電流値とを比較し、前記第２の電流値が前記第２の基準電流値よりも大きいと判断し、且つ、検出された温度が予め定められた基準温度よりも小さい又は検出された消費電力が予め定められた基準電力よりも小さいと判断した場合、画像形成するための動作の停止制御を行うこと、
を特徴とする画像形成装置。
【請求項４０】
請求項３８又は３９に記載の画像形成装置において、
前記誘導加熱定着器の温度を検出する手段又は前記誘導加熱定着器の消費電力を検出する手段を備え、
前記制御手段は、前記第１の電流値が前記第２の基準電流値よりも大きいと判断した後に前記基準時間経過した後、検出された温度が予め定められた基準温度以上の場合又は検出された消費電力が予め定められた基準電力以上の場合、且つ、前記電流検出手段により検出された前記第４の電流値が前記第２の基準電流値以下の場合、前記誘導コイルへの電力の供給を再開し、前記検出された温度が前記基準温度より小さい場合又は前記検出された消費電力が前記基準電力よりも小さい場合、画像形成するための動作の停止制御を行うこと、
を特徴とする画像形成装置。
【発明の詳細な説明】
【技術分野】
【０００１】
本発明は、定着器を備えた画像形成装置に関する。
【背景技術】
【０００２】
機器内に備えられ商用電源から供給される電力を機器内の各負荷へ供給する電源装置の入力電圧値は、商用電源のラインインピーダンスや機器の設置状況や配電状態によって頻繁に電圧降下が生じている。電源装置は、電源装置の入力電圧値が電源動作限界電圧値を下回った場合、機器内の負荷に対して所定の電力を供給できないばかりか、電源装置自体が停止及び故障してしまうことがある。
【０００３】
定着器を備えた画像形成装置では、誘導コイルやハロゲンヒータ等の加熱手段への電力を供給するために、加熱電源部が備えられている。加熱電源部は、電力を供給する負荷が熱源であるため、他の電源装置に比べ高出力が求められ、動作限界入力電圧値が高い構成となっている。
従って、加熱電源部は、商用電源から供給される電力の瞬断や電圧低下が生じた場合、商用電源から供給される電力の電圧値が他の電源装置よりも早い段階で動作限界電圧値以下となり、加熱手段への電力供給ができなくなってしまう。したがって、画像形成装置は、加熱電源部から加熱手段へ電力が供給されず加熱ローラが加熱されないため、定着温度が低下し定着不良が生じ、所望の画像を得ることができない。
そこで、従来は、加熱電源部の故障を防止するため、商用電源からの入力電圧が低下した場合、所定電圧値以下の場合に保護回路を動作させる電気機器装置や、ハロゲンヒータやフィルム加熱方式を用いた定着器の温度異常時における電力供給の遮断手段（リレー）を正常に動作させる画像形成装置がある。
【０００４】
この様な不具合を解決する方策として、駆動手段が接続された電気機器装置において、駆動手段が停止時（待機中）に電源が所定電圧値以下の場合、駆動手段を駆動させ保護回路を動作させ、プリント中に電源が所定電圧値以下の場合、プリント動作を中止させる電気機器装置が開示されている（特許文献１参照）。
【０００５】
また、加熱手段を有する定着器の加熱手段への電源供給を遮断する入力遮断リレーと、加熱手段への電力供給を制御するスイッチング手段と、入力遮断リレーの電圧を検出する入力電圧手段からの信号に基づいて入力遮断リレーの異常を検知するリレー異常検知手段とを備え、リレー異常検出手段の検出出力に基づいてスイッチング手段を駆動させる画像形成装置が開示されている（特許文献２参照）。
【特許文献１】特開２０００−２９５７９号公報
【特許文献２】特開２００３−５７９９１号公報
【発明の開示】
【発明が解決しようとする課題】
【０００６】
しかしながら、特許文献１は、低電圧時における電源装置の故障を防ぐための電力供給の停止方法であり、プリント中に、電源が所定電圧値以下となったら、すぐにプリント動作が中止されてしまい、使い勝手が悪い。また、特許文献２は、電源供給を遮断するリレー回路の誤動作を防止し、定着器の異常時にリレーの開閉動作を正常に動作させ、加熱ローラの過昇温度を防止するための方法である。そのため、特許文献２では、本体制御部側やユーザは、加熱電源部が低電圧異常によって加熱手段へ十分な電力供給ができず、定着不良の恐れがあることを認識しない。
【０００７】
また、誘導加熱方式の定着器は、加熱電源部からの電力供給が停止されると、誘導コイルに供給される電力が停止してしまうため、加熱ローラを加熱するための誘導磁界を発生させることができなくなり、加熱ローラの温度が低下してしまい定着不良が生じてしまう。更に、誘導コイルへ供給される電力制御は、加熱電源部の入力電力が低下した場合、加熱ローラを加熱させるため誘導磁界を発生させる高周波の電流を供給することができず定着不良を起すばかりか、誘導コイルを駆動させる回路の誤動作や暴走を引き起こす恐れがある。
【０００８】
以上のような不具合が生じているとき、画像形成装置の本体制御部は、加熱電源部が停止していること及び定着器の温度が低下していることしか判断しておらず、加熱電源部の入力電力異常が生じたことで、加熱手段への電力が停止され加熱ローラの温度低下（定着温度の低下）が生じ、定着不良が生じる恐れがある。
【０００９】
本発明の課題は、定着器を備えた画像形成装置において、加熱電源部の入力電力異常時に定着不良の発生を抑制することのできる画像形成装置を提供することである。また、他の課題は、加熱電源部の入力電力異常時における定着器の誤動作を抑制すると共に使い勝手の良い画像形成装置を提供することである。
【課題を解決するための手段】
【００１０】
請求項１に記載の発明は、熱定着のための加熱手段を有する定着器と、前記定着器に接続され、商用電源から供給された電力を前記加熱手段へ供給するための加熱電源部と、前記商用電源から前記加熱電源部へ供給される電圧値を検出する電圧検出手段と、前記電圧検出手段により検出された第１の電圧値が予め定められた基準電圧値よりも小さいと判断された場合、予め定められた基準時間を計時する計時手段と、前記第１の電圧値と前記基準電圧値とを比較し、前記第１の電圧値が前記基準電圧値よりも小さいと判断した場合、前記加熱電源部から前記加熱手段への電力の供給を停止させ、前記基準時間経過後に前記電圧検出手段により検出された第２の電圧値と前記基準電圧値とを比較し、前記第２の電圧値が前記基準電圧値よりも小さいと判断した場合、画像形成するための動作の停止制御を行う制御手段と、を備える画像形成装置であること特徴としている。
【００１１】
請求項２に記載の発明は、請求項１に記載の画像形成装置において、前記制御手段は、前記第１の電圧値が前記基準電圧値よりも小さいと判断した後、前記基準時間以内に前記電圧検出手段により検出された第３の電圧値と前記基準電圧値と比較し、前記第３の電圧値が前記基準電圧値以上と判断した場合、前記加熱手段への電力の供給を再開させること、を特徴としている。
【００１２】
請求項３に記載の発明は、請求項１又は２に記載の画像形成装置において、前記定着器は、誘導コイルを有する誘導加熱定着器であり、前記加熱電源部は、前記商用電源から供給された電力を前記誘導コイルへ供給すること、を特徴としている。
【００１３】
請求項４に記載の発明は、請求項１から３のいずれか一項に記載の画像形成装置において、前記定着器の温度を検出する手段又は前記定着器の消費電力を検出する手段を備え、前記制御手段は、前記第１の電圧値が前記基準電圧値よりも小さいと判断した後、前記基準時間経過後に前記電圧検出手段により検出された第２の電圧値と前記基準電圧値とを比較し、前記第２の電圧値が前記基準電圧値よりも小さいと判断し、且つ、検出された温度が基準温度より小さいと判断又は検出された消費電力が基準電力よりも小さいと判断した場合、画像形成するための動作の停止制御を行うこと、を特徴としている。
【００１４】
請求項５に記載の発明は、請求項１から４のいずれか一項に記載の画像形成装置において、前記定着器の温度を検出する手段又は前記定着器の消費電力を検出する手段を備え、前記制御手段は、前記第１の電圧値が前記基準電圧値よりも小さいと判断した後に前記基準時間経過した後、検出された温度が予め定められた基準温度以上の場合又は検出された消費電力が予め定められた基準電力以上の場合、且つ、前記電圧検出手段により検出された前記第４の電圧値が前記基準電圧値以上の場合、前記加熱手段への電力の供給を再開し、前記検出された温度が前記基準温度より小さい場合又は前記検出された消費電力が前記基準電力よりも小さい場合、画像形成するための動作の停止制御を行うこと、を特徴としている。
【００１５】
請求項６に記載の発明は、請求項１から５のいずれか一項に記載の画像形成装置において、前記電圧検出手段により検出された第１の電圧値と予め定められた基準電圧値とが比較され、前記第１の電圧値が前記基準電圧値よりも小さいと判断された場合、前記定着器の低電圧異常を通知するための通知手段を備えること、を特徴としている。
【００１６】
請求項７に記載の発明は、請求項１から６のいずれか一項に記載の画像形成装置において、前記制御手段が画像形成するための動作の停止制御を行う場合、画像形成するための動作を停止する旨を通知するための通知手段を備えること、を特徴としている。
【００１７】
請求項８に記載の発明は、誘導コイルを有する誘導加熱定着器と、前記誘導加熱定着器に接続され、商用電源から供給された電力を前記誘導コイルへ供給するための加熱電源部と、前記商用電源から前記加熱電源部へ供給される電圧値を検出する電圧検出手段と、前記電圧検出手段により検出された第１の電圧値と予め定められた基準電圧値とを比較し、前記第１の電圧値が基準電圧値よりも小さいと判断した場合、前記加熱電源部から前記誘導コイルへの電力の供給を停止させた後に画像形成するための動作の停止制御を行う制御手段と、を備える画像形成装置であること、を特徴としている。
【００１８】
請求項９に記載の発明は、請求項８に記載の画像形成装置において、前記電圧検出手段により検出された第１の電圧値と予め定められた基準電圧値とが比較され、前記第１の電圧値が前記基準電圧値よりも小さいと判断された場合、前記誘導加熱定着器の低電圧異常を通知するための通知手段を備えること、を特徴としている。
【００１９】
請求項１０に記載の発明は、請求項８又は９に記載の画像形成装置において、前記制御手段が画像形成するための動作の停止制御を行う場合、画像形成するための動作を停止する旨を通知するための通知手段を備えること、を特徴としている。
【００２０】
請求項１１に記載の発明は、請求項８から１０のいずれか一項に記載の画像形成装置において、前記第１の電圧値が前記基準電圧値よりも小さいと判断された場合、予め定められた基準時間を計時する計時手段と、を備え、前記制御手段は、前記第１の電圧値が前記基準電圧値よりも小さいと判断した後、前記基準時間経過後に前記電圧検出手段により検出された第２の電圧値と前記基準電圧値とを比較し、前記第２の電圧値が前記基準電圧値よりも小さいと判断した場合、画像形成するための動作の停止制御を行い、前記第１の電圧値が前記基準電圧値よりも小さいと判断した後、前記基準時間経過以内に前記電圧検出手段により検出された第３の電圧値と前記基準電圧値とを比較し、前記第３の電圧値が前記基準電圧値以上と判断した場合、前記誘導コイルへの電力の供給を再開させること、を特徴としている。
【００２１】
請求項１２に記載の発明は、請求項１１に記載の画像形成装置において、前記誘導加熱定着器の温度を検出する手段又は前記誘導加熱定着器の消費電力を検出する手段を備え、前記制御手段は、前記第１の電圧値が前記基準電圧値よりも小さいと判断した後、前記基準時間経過後に前記電圧検出手段により検出された第２の電圧値と前記基準電圧値とを比較し、前記第２の電圧値が前記基準電圧値よりも小さいと判断し、且つ、検出された温度が予め定められた基準温度よりも小さい又は検出された消費電力が予め定められた基準電力よりも小さいと判断した場合、画像形成するための動作の停止制御を行うこと、を特徴としている。
【００２２】
請求項１３に記載の発明は、請求項１１又は１２に記載の画像形成装置において、前記誘導加熱定着器の温度を検出する手段又は前記誘導加熱定着器の消費電力を検出する手段を備え、前記制御手段は、前記第１の電圧値が前記基準電圧値よりも小さいと判断した後に前記基準時間経過した後、検出された温度が予め定められた基準温度以上の場合又は検出された消費電力が予め定められた基準電力以上の場合、且つ、前記電圧検出手段により検出された前記第４の電圧値が前記基準電圧値以上の場合、前記誘導コイルへの電力の供給を再開し、前記検出された温度が前記基準温度より小さい場合又は前記検出された消費電力が前記基準電力よりも小さい場合、画像形成するための動作の停止制御を行うこと、を特徴としている。
【００２３】
請求項１４に記載の発明は、誘導コイルを有する誘導加熱定着器と、前記誘導加熱定着器に接続され、商用電源から供給された電力を前記誘導コイルへ供給するための加熱電源部と、前記加熱電源部から前記誘導コイルへの電力の供給及び画像形成するための動作を制御する制御手段と、を備え、前記制御手段は、前記誘導加熱定着器への電力を供給した状態で前記画像形成するための動作を実行するタイミングを有するように前記画像形成するための動作を制御すること、を特徴としている。
【００２４】
請求項１５に記載の発明は、熱定着のための加熱手段を有する定着器と、前記定着器に接続され、商用電源から供給された電力を前記加熱手段へ供給するための加熱電源部と、前記商用電源から前記加熱電源部へ供給される電流値を検出する電流検出手段と、前記電流検出手段により検出された第１の電流値が予め定められた第１の基準電流値よりも小さいと判断された場合、予め定められた基準時間を計時する計時手段と、前記第１の電流値と前記第１の基準電流値とを比較し、前記第１の電流値が前記第１の基準電流値よりも小さいと判断した場合、前記加熱電源部から前記加熱手段への電力の供給を停止させ、前記基準時間経過後に前記電流検出手段により検出された第２の電流値と前記第１の基準電流値とを比較し、前記第２の電圧値が前記第２の基準電流値よりも小さいと判断した場合、画像形成するための動作の停止制御を行う制御手段と、を備える画像形成装置であること、を特徴としている。
【００２５】
請求項１６に記載の発明は、請求項１５に記載の画像形成装置において、前記制御手段は、前記第１の電流値が前記第１の基準電流値よりも小さいと判断した後、前記基準時間以内に前記電流検出手段により検出された第３の電流値と前記第１の基準電流値と比較し、前記第３の電流値が前記第１の基準電流値以上と判断した場合、前記加熱手段への電力の供給を再開させること、を特徴としている。
【００２６】
請求項１７に記載の発明は、請求項１５又は１６に記載の画像形成装置において、前記定着器は、誘導コイルを有する誘導加熱定着器であり、前記加熱電源部は、前記商用電源から供給された電力を前記誘導コイルへ供給すること、を特徴としている。
【００２７】
請求項１８に記載の発明は、請求項１５から１７のいずれか一項に記載の画像形成装置において、前記定着器の温度を検出する手段又は前記定着器の消費電力を検出する手段を備え、前記制御手段は、前記第１の電流値が前記第１の基準電流値よりも小さいと判断した後、前記基準時間経過後に前記電流検出手段により検出された第２の電流値と前記第１の基準電流値とを比較し、前記第２の電流値が前記第１の基準電流値よりも小さいと判断し、且つ、検出された温度が基準温度より小さいと判断又は検出された消費電力が基準電力よりも小さいと判断した場合、画像形成するための動作の停止制御を行うこと、を特徴としている。
【００２８】
請求項１９に記載の発明は、請求項１５から１８のいずれか一項に記載の画像形成装置において、前記定着器の温度を検出する手段又は前記定着器の消費電力を検出する手段を備え、前記制御手段は、前記第１の電流値が前記第１の基準電流値よりも小さいと判断した後に前記基準時間経過した後、検出された温度が予め定められた基準温度以上の場合又は検出された消費電力が予め定められた基準電力以上の場合、且つ、前記電流検出手段により検出された前記第４の電流値が前記第１の基準電流値以上の場合、前記加熱手段への電力の供給を再開し、前記検出された温度が前記基準温度より小さい場合又は前記検出された消費電力が前記基準電力よりも小さい場合、画像形成するための動作の停止制御を行うこと、を特徴としている。
【００２９】
請求項２０に記載の発明は、請求項１５から１９のいずれか一項に記載の画像形成装置において、前記電流検出手段により検出された第１の電流値と予め定められた第１の基準電流値とが比較され、前記第１の電流値が前記第１の基準電流値よりも小さいと判断された場合、前記定着器の低電流異常を通知するための通知手段を備えること、を特徴としている。
【００３０】
請求項２１に記載の発明は、請求項１５から２０のいずれか一項に記載の画像形成装置において、前記制御手段が画像形成するための動作の停止制御を行う場合、画像形成するための動作を停止する旨を通知するための通知手段を備えること、を特徴としている。
【００３１】
請求項２２に記載の発明は、誘導コイルを有する誘導加熱定着器と、前記誘導加熱定着器に接続され、商用電源から供給された電力を前記誘導コイルへ供給するための加熱電源部と、前記商用電源から前記加熱電源部へ供給される電流値を検出する電流検出手段と、前記電流検出手段により検出された第１の電流値と予め定められた第１の基準電流値とを比較し、前記第１の電流値が第１の基準電流値よりも小さいと判断した場合、前記加熱電源部から前記誘導コイルへの電力の供給を停止させた後に画像形成するための動作の停止制御を行う制御手段と、を備える画像形成装置であること、を特徴としている。
【００３２】
請求項２３に記載の発明は、請求項２２に記載の画像形成装置において、前記電流検出手段により検出された第１の電流値と予め定められた第１の基準電流値とが比較され、前記第１の電流値が前記第１の基準電流値よりも小さいと判断された場合、前記誘導加熱定着器の低電流異常を通知するための通知手段を備えること、を特徴としている。
【００３３】
請求項２４に記載の発明は、請求項２２又は２３に記載の画像形成装置において、前記制御手段が画像形成するための動作の停止制御を行う場合、画像形成するための動作を停止する旨を通知するための通知手段を備えること、を特徴としている。
【００３４】
請求項２５に記載の発明は、請求項２２から２４のいずれか一項に記載の画像形成装置において、前記第１の電流値が前記第１の基準電流値よりも小さいと判断された場合、予め定められた基準時間を計時する計時手段と、を備え、前記制御手段は、前記第１の電流値が前記第１の基準電流値よりも小さいと判断した後、前記基準時間経過後に前記電流検出手段により検出された第２の電流値と前記第１の基準電流値とを比較し、前記第２の電流値が前記第１の基準電流値よりも小さいと判断した場合、画像形成するための動作の停止制御を行い、前記第１の電流値が前記第１の基準電流値よりも小さいと判断した後、前記基準時間経過以内に前記電流検出手段により検出された第３の電流値と前記第１の基準電流値とを比較し、前記第３の電流値が前記第１の基準電流値以上と判断した場合、前記誘導コイルへの電力の供給を再開させること、を特徴としている。
【００３５】
請求項２６に記載の発明は、請求項２５に記載の画像形成装置において、前記誘導加熱定着器の温度を検出する手段又は前記誘導加熱定着器の消費電力を検出する手段を備え、前記制御手段は、前記第１の電流値が前記第１の基準電流値よりも小さいと判断した後、前記基準時間経過後に前記電流検出手段により検出された第２の電流値と前記第１の基準電流値とを比較し、前記第２の電流値が前記第１の基準電流値よりも小さいと判断し、且つ、検出された温度が予め定められた基準温度よりも小さい又は検出された消費電力が予め定められた基準電力よりも小さいと判断した場合、画像形成するための動作の停止制御を行うこと、を特徴としている。
【００３６】
請求項２７に記載の発明は、請求項２５又は２６に記載の画像形成装置において、前記誘導加熱定着器の温度を検出する手段又は前記誘導加熱定着器の消費電力を検出する手段を備え、前記制御手段は、前記第１の電流値が前記第１の基準電流値よりも小さいと判断した後に前記基準時間経過した後、検出された温度が予め定められた基準温度以上の場合又は検出された消費電力が予め定められた基準電力以上の場合、且つ、前記電流検出手段により検出された前記第４の電流値が前記第１の基準電流値以上の場合、前記誘導コイルへの電力の供給を再開し、前記検出された温度が前記基準温度より小さい場合又は前記検出された消費電力が前記基準電力よりも小さい場合、画像形成するための動作の停止制御を行うこと、を特徴としている。
【００３７】
請求項２８に記載の発明は、熱定着のための加熱手段を有する定着器と、前記定着器に接続され、商用電源から供給された電力を前記加熱手段へ供給するための加熱電源部と、前記商用電源から前記加熱電源部へ供給される電流値を検出する電流検出手段と、前記電流検出手段により検出された第１の電流値が予め定められた第２の基準電流値よりも大きいと判断された場合、予め定められた基準時間を計時する計時手段と、前記第１の電流値と前記第２の基準電流値とを比較し、前記第１の電流値が前記第２の基準電流値よりも大きいと判断した場合、前記加熱電源部から前記加熱手段への電力の供給を停止させ、前記基準時間経過後に前記電流検出手段により検出された第２の電流値と前記第２の基準電流値とを比較し、前記第２の電圧値が前記第２の基準電流値よりも大きいと判断した場合、画像形成するための動作の停止制御を行う制御手段と、を備える画像形成装置であること、を特徴としている。
【００３８】
請求項２９に記載の発明は、請求項２８に記載の画像形成装置において、前記制御手段は、前記第１の電流値が前記第２の基準電流値よりも大きいと判断した後、前記基準時間以内に前記電流検出手段により検出された第３の電流値と前記第２の基準電流値と比較し、前記第３の電流値が前記第２の基準電流値以下と判断した場合、前記加熱手段への電力の供給を再開させること、を特徴としている。
【００３９】
請求項３０に記載の発明は、請求項２８又は２９に記載の画像形成装置において、前記定着器は、誘導コイルを有する誘導加熱定着器であり、前記加熱電源部は、前記商用電源から供給された電力を前記誘導コイルへ供給すること、を特徴としている。
【００４０】
請求項３１に記載の発明は、請求項２８から３０のいずれか一項に記載の画像形成装置において、前記定着器の温度を検出する手段又は前記定着器の消費電力を検出する手段を備え、前記制御手段は、前記第１の電流値が前記第２の基準電流値よりも大きいと判断した後、前記基準時間経過後に前記電流検出手段により検出された第２の電流値と前記第２の基準電流値とを比較し、前記第２の電流値が前記第２の基準電流値よりも大きいと判断し、且つ、検出された温度が基準温度より小さいと判断又は検出された消費電力が基準電力よりも小さいと判断した場合、画像形成するための動作の停止制御を行うこと、を特徴としている。
【００４１】
請求項３２に記載の発明は、請求項２８から３１のいずれか一項に記載の画像形成装置において、前記定着器の温度を検出する手段又は前記定着器の消費電力を検出する手段を備え、前記制御手段は、前記第１の電流値が前記第２の基準電流値よりも大きいと判断した後に前記基準時間経過した後、検出された温度が予め定められた基準温度以上の場合又は検出された消費電力が予め定められた基準電力以上の場合、且つ、前記電流検出手段により検出された前記第４の電流値が前記第２の基準電流値以下の場合、前記加熱手段への電力の供給を再開し、前記検出された温度が前記基準温度より小さい場合又は前記検出された消費電力が前記基準電力よりも小さい場合、画像形成するための動作の停止制御を行うこと、を特徴としている。
【００４２】
請求項３３に記載の発明は、請求項２８から３２のいずれか一項に記載の画像形成装置において、前記電流検出手段により検出された第１の電流値と予め定められた第２の基準電流値とが比較され、前記第１の電流値が前記第２の基準電流値よりも大きいと判断された場合、前記定着器の過電流異常を通知するための通知手段を備えること、を特徴としている。
【００４３】
請求項３４に記載の発明は、請求項２８から３３のいずれか一項に記載の画像形成装置において、前記制御手段が画像形成するための動作の停止制御を行う場合、画像形成するための動作を停止する旨を通知するための通知手段を備えること、を特徴としている。
【００４４】
請求項３５に記載の発明は、誘導コイルを有する誘導加熱定着器と、前記誘導加熱定着器に接続され、商用電源から供給された電力を前記誘導コイルへ供給するための加熱電源部と、前記商用電源から前記加熱電源部へ供給される電流値を検出する電流検出手段と、前記電流検出手段により検出された第１の電流値と予め定められた第２の基準電流値とを比較し、前記第１の電流値が第２の基準電流値よりも大きいと判断した場合、前記加熱電源部から前記誘導コイルへの電力の供給を停止させた後に画像形成するための動作の停止制御を行う制御手段と、を備える画像形成装置であること、を特徴としている。
【００４５】
請求項３６に記載の発明は、請求項３５に記載の画像形成装置において、前記電流検出手段により検出された第１の電流値と予め定められた第２の基準電流値とが比較され、前記第１の電流値が前記第２の基準電流値よりも大きいと判断された場合、前記定着器の過電流異常を通知するための通知手段を備えること、を特徴としている。
【００４６】
請求項３７に記載の発明は、請求項３５又は３６に記載の画像形成装置において、前記制御手段が画像形成するための動作の停止制御を行う場合、画像形成するための動作を停止する旨を通知するための通知手段を備えること、を特徴としている。
【００４７】
請求項３８に記載の発明は、請求項３５から３７のいずれか一項に記載の画像形成装置において、前記第１の電流値が前記第２の基準電流値よりも大きいと判断された場合、予め定められた基準時間を計時する計時手段と、を備え、前記制御手段は、前記第１の電流値が前記第２の基準電流値よりも大きいと判断した後、前記基準時間経過後に前記電流検出手段により検出された第２の電流値と前記第２の基準電流値とを比較し、前記第２の電流値が前記第２の基準電流値よりも大きいと判断した場合、画像形成するための動作の停止制御を行い、前記第１の電流値が前記第２の基準電流値よりも大きいと判断した後、前記基準時間経過以内に前記電流検出手段により検出された第３の電流値と前記第２の基準電流値とを比較し、前記第３の電流値が前記第２の基準電流値以下と判断した場合、前記誘導コイルへの電力の供給を再開させること、を特徴としている。
【００４８】
請求項３９に記載の発明は、請求項３８に記載の画像形成装置において、前記誘導加熱定着器の温度を検出する手段又は前記誘導加熱定着器の消費電力を検出する手段を備え、前記制御手段は、前記第１の電流値が前記第２の基準電流値よりも大きいと判断した後、前記基準時間経過後に前記電流検出手段により検出された第２の電流値と前記第２の基準電流値とを比較し、前記第２の電流値が前記第２の基準電流値よりも大きいと判断し、且つ、検出された温度が予め定められた基準温度よりも小さい又は検出された消費電力が予め定められた基準電力よりも小さいと判断した場合、画像形成するための動作の停止制御を行うこと、を特徴としている。
【００４９】
請求項４０に記載の発明は、請求項３８又は３９に記載の画像形成装置において、前記誘導加熱定着器の温度を検出する手段又は前記誘導加熱定着器の消費電力を検出する手段を備え、前記制御手段は、前記第１の電流値が前記第２の基準電流値よりも大きいと判断した後に前記基準時間経過した後、検出された温度が予め定められた基準温度以上の場合又は検出された消費電力が予め定められた基準電力以上の場合、且つ、前記電流検出手段により検出された前記第４の電流値が前記第２の基準電流値以下の場合、前記誘導コイルへの電力の供給を再開し、前記検出された温度が前記基準温度より小さい場合又は前記検出された消費電力が前記基準電力よりも小さい場合、画像形成するための動作の停止制御を行うこと、を特徴としている。
【発明の効果】
【００５０】
請求項１又は１５に記載の発明によれば、定着不良が生じる前に、画像形成するための動作を停止することができるので、定着不良を低減し、良好な画像を得ることができる。
【００５１】
請求項２又は１６に記載の発明によれば、請求項１又は１５と同様の効果を得られるのは勿論のこと、ユーザが関知することなく加熱手段への電力の供給を再開することができる。そのため、不要にユーザに画像形成を待たせることがないので、使い勝手が良く、良好な画像を得ることができる。
【００５２】
請求項３又は１７に記載の発明によれば、請求項１、２、１５、１６のいずれか一項と同様の効果を得られるのは勿論のこと、誘導コイルを有する誘導加熱定着器、商用電源から供給された電力を誘導コイルへ供給する加熱電源部を用いることができる。また、入力電力異常による定着器の誤動作も防止することができる。
【００５３】
請求項４又は１８に記載の発明によれば、請求項１から３、１５から１７のいずれか一項と同様の効果を得られるのは勿論のこと、定着不良が生じる恐れがあり、適切に画像形成するための動作ができないと判断した場合のみ、画像形成するための動作を停止することができ、使い勝手を向上させることができる。
【００５４】
請求項５又は１９に記載の発明によれば、請求項１から４、１５から１８のいずれか一項と同様の効果を得られるのは勿論のこと、定着不良が生じる恐れがなく、適切に画像形成するための動作ができると判断した場合ユーザが関知することなく加熱手段への電力の供給を再開することができ、定着不良が生じる恐れがあり、適切に画像形成するための動作ができないと判断した場合のみ、画像形成するための動作を停止することができる。
【００５５】
請求項６又は２０に記載の発明によれば、請求項１から５、１５から１９のいずれか一項と同様の効果を得られるのは勿論のこと、ユーザに低電圧異常又は低電流異常（例えば、定着加熱停止）であることを通知することができる。
【００５６】
請求項７又は２１に記載の発明によれば、請求項１から６、１５から２０のいずれか一項と同様の効果を得られるのは勿論のこと、ユーザに画像形成するための動作が不可であることを通知することができ、画像形成装置の改善を促すことができる。
【００５７】
請求項８又は２２に記載の発明によれば、加熱電源部の商用電源から供給される電圧値が低電圧異常又は低電流異常となった場合、誘導コイルへの電力の供給を停止し、定着不良が生じる前に画像形成するための動作を停止することができる。そのため、加熱電源部の誤動作を抑制すると共に、定着不良を低減し、良好な画像を得ることができる。
【００５８】
請求項９又は２３に記載の発明によれば、請求項８又は２２と同様の効果を得られるのは勿論のこと、ユーザに低電圧異常又は低電流異常（例えば、定着加熱停止）であることを通知することができる。
【００５９】
請求項１０又は２４に記載の発明によれば、請求項８、９、２２、２３のいずれか一項と同様の効果を得られるのは勿論のこと、ユーザに画像形成するための動作が不可であることを通知することができ、画像形成装置の改善を促すことができる。
【００６０】
請求項１１又は２５に記載の発明によれば、請求項８から１０、２２から２４のいずれか一項と同様の効果を得られるのは勿論のこと、不要にユーザに画像形成を待たせることがないので、使い勝手が良く良好な画像を得ることができる。
【００６１】
請求項１２又は２６に記載の発明によれば、請求項１１又は２５と同様の効果を得られるのは勿論のこと、誘導加熱定着器が定着可能な温度又は電力でない場合のみ、画像形成するための動作を停止することができるので、使い勝手を向上させることができる。
【００６２】
請求項１３又は２７に記載の発明によれば、請求項１１、１２、２５、２６のいずれか一項と同様の効果を得られるのは勿論のこと、誘導加熱定着器が定着可能な温度又は電力でない場合のみ、画像形成するための動作を停止することができる。
【００６３】
請求項１４に記載の発明によれば、定着器の誤動作を抑制すると共に、不要にユーザに画像形成を待たせず、使い勝手を向上できる。
【００６４】
請求項２８に記載の発明によれば、加熱電源部の誤動作や回路暴走等を防止すると共に、定着不良を抑制することができ、良好な画像を得ることができる。
【００６５】
請求項２９に記載の発明によれば、請求項２８と同様の効果を得られるのは勿論のこと、ユーザが関知することなく加熱手段への電力の供給を再開することができる。そのため、不要にユーザに画像形成を待たせることがないので、使い勝手が良く、良好な画像を得ることができる。
【００６６】
請求項３０に記載の発明によれば、請求項２８又は２９と同様の効果を得られるのは勿論のこと、誘導コイルを有する誘導加熱定着器、商用電源から供給された電力を誘導コイルへ供給する加熱電源部を用いることができる。
【００６７】
請求項３１に記載の発明によれば、請求項２８から３０のいずれか一項と同様の効果を得られるのは勿論のこと、定着不良が生じる恐れがあり、適切に画像形成するための動作ができないと判断した場合のみ、画像形成するための動作を停止することができ、使い勝手を向上できる。
【００６８】
請求項３２に記載の発明によれば、請求項２８から３１のいずれか一項と同様の効果を得られるのは勿論のこと、定着不良が生じる恐れがなく、適切に画像形成するための動作ができると判断した場合、ユーザが関知することなく加熱手段への電力の供給を再開することができ、定着不良が生じる恐れがあり、適切に画像形成するための動作ができないと判断した場合のみ、画像形成するための動作を停止することができる。
【００６９】
請求項３３に記載の発明によれば、請求項２８から３２のいずれか一項と同様の効果を得られるのは勿論のこと、ユーザに過電流異常（例えば、定着加熱停止）であることを通知することができる。
【００７０】
請求項３４に記載の発明によれば、請求項２８から３３のいずれか一項と同様の効果を得られるのは勿論のこと、ユーザに画像形成するための動作が不可であることを通知することができ、画像形成装置の改善を促すことができる。
【００７１】
請求項３５に記載の発明によれば、加熱電源部の商用電源から供給される電流値が過電流異常となった場合、誘導コイルへの電力の供給を停止し、加熱電源部の誤動作や回路暴走等による定着不良が生じる前に画像形成するための動作を停止することができる。
【００７２】
請求項３６に記載の発明によれば、請求項３５と同様の効果を得られるのは勿論のこと、ユーザに過電流異常（例えば、定着加熱停止）であることを通知することができる。
【００７３】
請求項３７に記載の発明によれば、請求項３５又は３６と同様の効果を得られるのは勿論のこと、ユーザに画像形成するための動作が不可であることを通知することができ、画像形成装置の改善を促すことができる。
【００７４】
請求項３８に記載の発明によれば、請求項３５から３７のいずれか一項と同様の効果を得られるのは勿論のこと、不要にユーザに画像形成を待たせることがないので、使い勝手が良く、良好な画像を得ることができる。
【００７５】
請求項３９に記載の発明によれば、請求項３８と同様の効果を得られるのは勿論のこと、誘導加熱定着器が定着可能な温度又は電力でない場合のみ、画像形成するための動作を停止することができるので、使い勝手を向上させることができる。
【００７６】
請求項４０に記載の発明によれば、請求項３８又は３９と同様の効果を得られるのは勿論のこと、誘導加熱定着器が定着可能な温度又は電力でない場合のみ、画像形成するための動作を停止することができる。
【発明を実施するための最良の形態】
【００７７】
[実施の形態１]
以下、図を参照して本発明の実施の形態１を詳細に説明する。
図１に、本実施の形態１における画像形成装置１ａの概略構成図を示す。
図１に示すように、画像形成装置１ａは、感光ドラム２０を備え、この感光ドラム２０の表面を帯電器２１により所定の電位に帯電し、露光手段２２により画像を露光して感光ドラム２０の表面に静電潜像を形成し、この潜像を現像器２３により現像剤（トナー）を用いて現像してトナー画像として可視化し、得られたトナー画像を感光ドラム２０に搬送された紙などの記録材Ｐに転写手段２４により転写する。トナー画像の転写が終了した感光ドラム２０は、その表面に残留した転写の残りのトナーをクリーナ２５により除去された後、つぎの画像形成に供される。
【００７８】
一方、トナー画像を担持した記録材Ｐは、感光ドラム２０から定着器としての誘導加熱定着器１０に送られる。この誘導加熱定着器１０において、記録材Ｐ上の未定着トナー画像が定着され、記録材Ｐ上にプリント画像が得られる。
【００７９】
誘導加熱定着器１０は、加熱ローラ１１と、この加熱ローラ１１に圧接してニップ部Ｎを形成する加圧ローラ１２と、加熱ローラ１１内に設けられた加熱手段としての誘導コイル１３とから構成される。記録材Ｐ上のトナー画像は、加熱ローラ１１と加圧ローラ１２との圧接部のニップＮを通過する際に定着される。
【００８０】
図２に、本実施の形態１における誘導加熱定着器１０の主要制御構成ブロック図を示す。
図２に示すように、誘導加熱定着器１０の主要制御構成は、誘導コイル１３、加熱ローラ１１、図１に示した加圧ローラ１２などから構成される誘導加熱定着器１０と、電圧検出手段としての電圧検出部３１ａ、ＩＨ（Induction Heating）回路部３２、基準電源部３３、制御手段としての誘導加熱制御部３４ａなどの加熱電源部としての誘導加熱電源部３０ａと、加熱ローラ１１の温度を検出する、即ち、誘導加熱定着器１０の温度を検出する手段としての温度検出部５０と、誘導コイル１３への通電制御を行う制御手段としての本体制御部４１ａ、通知手段としての表示部４２などの本体ユニット４０等によって構成されている。
【００８１】
電圧検出部３１ａは、商用電源ＡＣから誘導加熱電源部３０ａに入力される電力の入力電圧値を検出する。検出された検出電圧値Ｖｉｎは、誘導加熱制御部３４ａへ出力される。
【００８２】
ＩＨ回路部３２は、誘導コイル１３に常に一定周波数の交流電流が供給されるよう誘導コイル１３と並列に接続されたコンデンサと、誘導コイル１３への供給電力をオン／オフするためのスイッチング素子と、スイッチング素子を動作させるためのゲートドライバ回路などを有している（図示略）。そしてＩＨ回路部３２は、入力された電力を誘導コイル１３に誘導磁界を発生させるための交流電流に変換すると共に、誘導加熱制御部３４ａから入力された通電制御信号Ｓに基づいてゲートドライバ回路がスイッチング素子を動作させることによって誘導コイル１３への駆動電流の供給を行う回路である。
【００８３】
基準電源部３３は、誘導加熱制御部３４ａの駆動用電源である。基準電源部３３は、商用電源ＡＣから誘導加熱電源部３０ａに入力された電力を分岐し、誘導加熱制御部３４ａに電力を供給する。
【００８４】
誘導加熱制御部３４ａは、基準電源部３３からの電力の供給を受け、誘導加熱電源部３０ａ全体の制御を行う。誘導加熱制御部３４ａは、本体制御部４１ａから通電制御信号Ｓｃｏｎｔが入力されると、通電指令信号Ｓｃｏｎｔに基づいて通電制御信号ＳをＩＨ回路部３２に出力し、ＩＨ回路部３２を駆動させる。通電制御信号Ｓは、ＩＨ回路部３２を動作させ誘導コイル１３への電力を供給／停止させるための信号である。
【００８５】
ところで、ＩＨ回路部３２は、商用電源ＡＣから入力される電圧が小さい場合、誘導コイル１３へ適切に電力供給を行うことができない。また、商用電源ＡＣから入力される電圧値が小さいために電流値が増加し、ＩＨ回路部３２が壊れる可能性がある。そこで、本実施の形態１を実現させるために、誘導加熱制御部３４ａは、電圧検出部３１ａから入力される検出電圧値Ｖｉｎと予め定められた基準電圧値Ｖ０とを比較し、検出電圧値Ｖｉｎが基準電圧値Ｖ０よりも小さい場合、低電圧異常を示す低電圧エラー信号Ｖｅｒｒを本体制御部４１ａに出力する。また、検出電圧値Ｖｉｎが基準電圧値Ｖ０以上の場合、低電圧エラー信号Ｖｅｒｒを解除する。
【００８６】
誘導加熱制御部３４ａに予め設定される基準電圧値Ｖ０の好ましい設定値について説明する。商用電源ＡＣのラインインピーダンスや画像形成装置１ａの設置状況などにより、検出電圧値Ｖｉｎが定格電圧値の８５％程度の電圧低下となることが比較的多い。
また、多くの電源装置は、定格電圧値の８０％程度の電圧低下時でも動作可能な構成である。
【００８７】
そのため、誘導加熱制御部３４ａに予め設定される基準電圧値Ｖ０としては、例えば、定格電圧値の６０％以上８０％以下の範囲内に設定することができ、使用する誘導加熱電源部３０ａの定格電圧値に基づいて基準電圧値Ｖ０を設定することが好ましい。
これにより、低電圧エラー信号Ｖｅｒｒが頻繁に出力され、画像形成装置の表示部４２には、頻繁に低電圧異常であることが表示されることにより、ユーザ等が、頻繁に問題が生じていると認識し、他の問題の認識及び対応が疎かになりやすくなることを抑制できる。つまり、
商用電源ＡＣのラインインインピーダンスや画像形成装置１ａの設置状況などによる軽度の電圧低下の影響は受けず、誘導加熱電源部３０ａ内の動作限界電圧時において低電エラー信号Ｖｅｒｒを出力することができる。
【００８８】
また、他の電源装置も動作不可能な電圧値での動作を防止でき、効率的である。また、低電圧時に動作することを防止でき、低コストとすることができる。
【００８９】
本体制御部４１ａは、画像形成装置１ａ各部の動作の集中制御を行う。また、本体制御部４１ａは、温度検出部５０からの検出温度Ｔに基づいて通電指令信号Ｓｃｏｎｔを誘導加熱制御部３４ａに出力し、誘導コイル１３への通電制御（即ち、加熱ローラ１１の温度の制御）を行う。通電指令信号Ｓｃｏｎｔは、誘導コイル１３への電力の供給／停止の指示を行う信号である。
【００９０】
本実施の形態１を実現させるために、本体制御部４１ａは、誘導加熱制御部３４ａから低電圧エラー信号Ｖｅｒｒが入力された場合、誘導加熱電源部３０ａが低電圧異常であることを認識し、表示部４２に低電圧異常及び定着加熱停止である事をユーザ等へ通知する表示信号Ｓｈを出力し、低電圧エラー信号Ｖｅｒｒが入力されなくなると、表示信号Ｓｈを解除するよう表示信号Ｓｈを制御する。
また、本体制御部４１ａは、低電圧エラー信号Ｖｅｒｒが入力された場合、本体制御部４１ａ内の計時手段としてのタイマにより基準時間ｔ０の計時を行う。なお、タイマによる計時は、誘導加熱制御部３４ａで行われてもよく、本体制御部４１ａ及び誘導加熱制御部３４ａ共に行われてもよい。
本体制御部４１ａは、ＩＨ回路部３２から誘導コイル１３への電力供給を停止するよう通電指令信号ＳｃｏｎｔをＯＦＦする。更に、本体制御部４１ａは、基準時間ｔ０経過後、誘導加熱制御部３４ａから入力される低電圧エラー信号Ｖｅｒｒが解除されない場合、温度検出部５０からの検出温度Ｔが基準温度Ｔ０より小さいか否かを判断し、検出温度Ｔが基準温度Ｔ０より小さい場合、画像形成するための動作を停止するよう画像形成装置１ａの各部を制御し、表示部４２には画像形成不可であることを表示するよう制御する。
【００９１】
瞬停や電圧低下の発生原因は、送電線への落雷など自然現象によるものがほとんどであるため避けるのは困難である。停電断続時間は保護リレー及び遮断機等の動作時間によって決まるため、基準時間ｔ０としては、国際電気標準会議（ＩＥＣ；International Electrotechnical Commission）によって定められた規格（例えば、IEC/EN61000-4-11）に基づいて、例えば、２０ｍｓｅｃ以上５ｓｅｃ以下などに設定することが好ましい。
【００９２】
表示部４２は、ＬＣＤ（Liquid Crystal Display）などの液晶ディスプレイを備えるが、ＣＲＴ（Cathode Ray Tube）ディスプレイや、ＰＤＰ（Plasma Display Panel）ディスプレイ又はＥＬ（Electro Luminescence）ディスプレイ等でもよく、本体制御部４１ａから入力される表示信号Ｓｈ及び各種指示信号に従って各種表示データの画面表示を行うことができればよい。
【００９３】
温度検出部５０は、加熱ローラ１1の外周側に非接触若しくは接触させて設置されている。温度検出部５０としては、例えばサーミスタ、熱電対、赤外センサなどの温度センサなどを用いることができ、加熱ローラ１１の温度又は加熱ローラ１１近傍の温度を検知できるものであればよく、この限りではない。
【００９４】
なお、誘導加熱制御部３４ａは、誘導加熱電源部３０ａ内に含まれた誘導加熱定着器１０の固有の制御部であってもよく、また、画像形成装置１ａ内の各部と相互に各種情報を送受信可能に接続されており、各部からの情報を受信し、受信した情報を判断して、判断結果である動作指示等の情報を各部に出力し、各部を統括している本体制御部４１ａに含まれるものでもよい。
【００９５】
画像形成するための動作とは、記録材Ｐに画像を形成する画像形成動作以外の画像形成起動処理動作、アイドリング動作等、画像形成するために必要な画像形成装置１ａの動作を含む。
【００９６】
次に、本実施の形態１の動作を説明する。
図３に、画像形成装置１ａの電源投入から各種画像形成するための動作の制御フローチャート例を示す。
画像形成装置１ａの主電源スイッチがＯＮされると、電源制御部（図示略）に通電が開始される（ステップＳ１）。
【００９７】
電源制御部は、主電源スイッチがＯＮされた後、副電源スイッチがＯＮされるまで、副電源スイッチの監視を行う（ステップＳ２）。
【００９８】
副電源スイッチがＯＮされると（ステップＳ３；Ｙｅｓ）、画像形成装置１ａは、画像形成起動処理を行う（ステップＳ４）。
【００９９】
画像形成起動処理とは、例えば、誘導加熱定着器１０においては、本体制御部４１ａの指令により加熱ローラ１１の加熱が開始され、加熱ローラ１１が規定の温度に達するまで誘導コイル１３への電力の供給が行われる動作である。
また、電装系では、各制御部（ＣＰＵや周辺回路、メモリ等を含む）のイニシャライズや各ユニット感の初期通信、割込み設定等の動作が行わる。画像形成装置１ａの機構系では、ホームポジションセンサー等の動作が行われる。光学系では、原稿読取用の光ランプ等の光源とＣＣＤ等の受光部のゲイン調整、シェーディング処理等が行われる。画像の書き込み系では、書き込み用のレーザー等の光源の光量調整が行われる。感光ドラム２０を含む作像系では、感光体特性のチェック（γ特性チェック、Ｍａｘ濃度チェック等）や現像器２３のトナー濃度均一化処理、帯電器２１・転写手段２４の清掃等が行われる。
【０１００】
起動処理終了後（ステップＳ５；Ｙｅｓ）、画像形成装置１ａは、アイドリング状態となる（ステップＳ６）。画像形成装置１ａがアイドリング状態の場合、誘導加熱定着器１０は、予め設定された規定温度を維持するよう断続的に加熱される。
【０１０１】
画像形成装置１ａがアイドリング状態となると、画像形成装置１ａは、コピー指令が有る場合（ステップＳ７；Ｎｏ）、コピー画像の画像形成動作を行う（ステップＳ８）。また、画像形成装置１ａは、外部データが有る場合（ステップＳ９；Ｎｏ）、外部データに基づいてプリント画像の画像形成動作を行う（ステップＳ１０）。更に、画像形成装置１ａは、外部へのデータ送信指令が有る場合（ステップＳ１１；Ｎｏ）、送信データの画像形成動作を行う（ステップＳ１２）。
【０１０２】
画像形成装置１ａは、コピー画像の画像形成動作後（ステップＳ８後）、プリント画像の画像形成動作後（ステップＳ１０後）、送信データの画像形成動作後（ステップＳ１２後）、アイドリング状態に戻る（ステップＳ６に戻る）。
【０１０３】
なお、図３に示す画像形成装置１ａの動作は、コピー画像の画像形成動作、プリント画像の画像形成動作、送信データの画像形成動作が順次実行される場合の動作フローチャートを示したが、同時に複数の画像形成動作が実行されてもよい。
【０１０４】
画像形成装置１ａは、コピー指令が無い場合（ステップＳ７；Ｙｅｓ）、外部データが無い場合（ステップＳ９；Ｙｅｓ）、外部へのデータ送信指令が無い場合（ステップＳ１１；Ｙｅｓ）、シャットオフ条件がＯＮされているか否かが判断される（ステップＳ１３）。
【０１０５】
シャットオフ条件とは、画像形成装置１ａの消費電力を低下させるための条件である。画像形成装置１ａは、オフモードスイッチが押下された場合、ウィークリータイマの設定により停止がかかった場合等に基づいて、シャットオフ条件がＯＮとされたと判断する。ウィークリータイマは、例えば、曜日と時間で副電源ＳＷをＯＮ／ＯＦＦさせる範囲を設定するためのタイマである。
【０１０６】
画像形成装置１ａは、シャットオフ条件がＯＮされていない場合（ステップＳ１３；Ｙｅｓ）、アイドリング状態に戻る（ステップＳ６に戻る）。
【０１０７】
画像形成装置１ａは、シャットオフ条件がＯＮされた場合（ステップＳ１３；Ｎｏ）、ア画像形成装置１ａの停止処理が行われる（ステップＳ１４）。
【０１０８】
また、画像形成装置１ａは、起動処理が開始されると各種割り込み設定が行われる。例えば、起動処理中に副電源スイッチのＯＦＦが割り込み設定された場合（ステップＳ１５；Ｎｏ）、画像形成装置１ａの停止処理が行われる（ステップＳ１４）。画像形成装置１ａの停止処理が行われる場合、誘導加熱定着器１０への電力供給が停止される。
【０１０９】
画像形成装置１ａは、停止処理終了後（ステップＳ１４後）、起動条件がＯＮするまで、画像形成するための動作を停止させる（ステップＳ１６；Ｎｏ）。即ち、誘導加熱定着器１０は、起動条件がＯＮされるまで、電力が遮断された状態が継続される。
【０１１０】
起動条件とは、オフモードスイッチが解除された場合、ウィークリータイマの設定により起動がかかった場合、副電源スイッチがＯＮされた場合等の、画像形成装置１ａの動作に要する電力が確保される条件である。
【０１１１】
画像形成装置１ａは、起動条件がＯＮされた場合（ステップＳ１６；Ｙｅｓ）、画像形成起動処理を行う（ステップＳ４に戻る）。
【０１１２】
次に、画像形成するための動作時における誘導加熱定着器１０の通電制御のフローチャートを示す。
図４に、本実施の形態１における画像形成動作時の誘導加熱定着器１０の通電制御のフローチャートを示す。
図４に示す画像形成動作時の誘導コイル１３の通電制御は、図３に示すコピー画像の画像形成動作、プリント画像の画像形成動作、送信データの画像形成動作時に行われる。
【０１１３】
画像形成装置１ａが画像形成動作時であり、商用電源ＡＣから誘導加熱電源部３０ａに電力が供給されている場合（ステップＳ２１）、本体制御部４１ａは、通電指令信号ＳｃｏｎｔをＯＮし、通電指令信号Ｓｃｏｎｔを誘導加熱制御部３４ａへ出力する（ステップＳ２２）。
【０１１４】
誘導加熱制御部３４ａは、本体制御部４１ａからＯＮされた通電指令信号Ｓｃｏｎｔが入力されると、通電制御信号ＳをＯＮし、通電制御信号ＳをＩＨ回路部３２へ出力する（ステップＳ２３）。
【０１１５】
ＩＨ回路部３２は、ＯＮされた通電制御信号Ｓが入力されると、誘導コイル１３に電力を供給し加熱ローラ１１を加熱させる。このとき、画像形成装置１ａ内の各部は画像形成動作を行うが、本実施の形態では誘導加熱定着器１０の動作のみ説明する。
【０１１６】
誘導加熱制御部３４ａは、通電制御信号ＳをＯＮした後、電圧検出部３１ａから入力される第１の電圧値としての第１検出電圧値Ｖｉｎ１が予め設定されている基準電圧値Ｖ０よりも小さいか否かを判断する（ステップＳ２４）。
【０１１７】
誘導加熱制御部３４ａは、第１検出電圧値Ｖｉｎ１が基準電圧値Ｖ０よりも小さい場合（ステップＳ２４；Ｙｅｓ）、低電圧エラー信号Ｖｅｒｒを本体制御部４１ａへ出力する（ステップＳ２５）。
【０１１８】
本体制御部４１ａは、誘導加熱制御部３４ａから低電圧エラー信号Ｖｅｒｒが入力されると、通電指令信号ＳｃｏｎｔをＯＦＦし、ＯＦＦされた通電指令信号Ｓｃｏｎｔを誘導加熱制御部３４ａへ出力する。また、本体制御部４１ａは、タイマによる基準時間ｔ０の計時の開始と、表示部４２へ低電圧異常を示す表示信号Ｓｈを出力する。表示部４２は、本体制御部４１ａから表示信号Ｓｈが入力されると、低電圧異常（即ち、定着加熱停止）であることを表示する（ステップＳ２６）。
【０１１９】
誘導加熱制御部３４ａは、本体制御部４１ａからＯＦＦされた通電指令信号Ｓｃｏｎｔが入力されると、通電制御信号ＳをＯＦＦし、ＯＦＦされた通電制御信号ＳをＩＨ回路部３２へ出力する（ステップＳ２７）。ＩＨ回路部３２は、ＯＦＦされた通電制御信号Ｓが入力されると、誘導コイル１３への電力の供給を停止する。
【０１２０】
誘導加熱制御部３４ａは、ＯＦＦされた通電制御信号ＳをＩＨ回路部３２へ出力した後、第３の電圧値としての第３検出電圧値Ｖｉｎ３が基準電圧値Ｖ０より小さいか否かを判断する（ステップＳ２８）。
【０１２１】
誘導加熱制御部３４ａは、第３検出電圧値Ｖｉｎ３が基準電圧値Ｖ０以上と判断した場合（ステップＳ２８；Ｎｏ）、本体制御部４１ａへの低電圧エラー信号Ｖｅｒｒの出力を停止する（ステップＳ２９）。
【０１２２】
本体制御部４１ａは、低電圧エラー信号Ｖｅｒｒの入力が停止されると、通電指令信号ＳｃｏｎｔをＯＮし、ＯＮされた通電指令信号Ｓｃｏｎｔを誘導加熱制御部３４ａへ出力すると共に、また、表示部４２に低電圧異常を示す表示信号Ｓｈの出力を停止する。表示部４２は、本体制御部４１ａから表示信号Ｓｈの入力が停止されると、低電圧異常の表示を解除する（ステップＳ３０）。
【０１２３】
誘導加熱制御部３４ａは、本体制御部４１ａからＯＮされた通電指令信号Ｓｃｏｎｔが入力されると、通電制御信号ＳをＯＮし、ＯＮされた通電制御信号ＳをＩＨ回路部３２へ出力する（ステップＳ３１）。ＩＨ回路部３２は、ＯＮされた通電制御信号Ｓが入力されると、誘導コイル１３への電力の供給を再開する。誘導コイル１３への電力の供給が再開された後、ステップＳ２４に戻る。
【０１２４】
本体制御部４１ａは、基準時間ｔ０以内に、誘導加熱制御部３４ａから入力されている低電圧エラー信号Ｖｅｒｒが解除されない場合、即ち、誘導加熱制御部３４ａが、第３検出電圧値Ｖｉｎ３が基準電圧値Ｖ０より小さいと判断した場合（ステップＳ２８；Ｙｅｓ）、タイマにより計時される計時時間ｔが基準時間ｔ０を経過しているか否かを判断する（ステップＳ３２）。
【０１２５】
本体制御部４１ａは、計時時間ｔが基準時間ｔ０を経過していないと判断した場合（ステップＳ３２；Ｎｏ）、基準時間ｔ０が計時されるまで誘導加熱制御部３４ａから入力されている低電圧エラー信号Ｖｅｒｒの状態を監視する（ステップＳ２８に戻る）。
【０１２６】
本体制御部４１ａは、計時時間ｔが基準時間ｔ０を経過したと判断した場合（ステップＳ３２；Ｙｅｓ）、誘導加熱制御部３４ａから入力されている低電圧エラー信号Ｖｅｒｒが解除されているか否かを判断する。即ち、誘導加熱制御部３４ａが、電圧検出部３１ａから検出される第２の電圧値としての第２検出電圧値Ｖｉｎ２が予め設定されている基準電圧値Ｖ０より小さいか否かを判断している（ステップＳ３３）。
【０１２７】
誘導加熱制御部３４ａが、第２検出電圧値Ｖｉｎ２が基準電圧値Ｖ０以上と判断した場合（ステップＳ３３；Ｎｏ）、本体制御部４１ａへの低電圧エラー信号Ｖｅｒｒの出力を停止する（ステップＳ２９）。
【０１２８】
本体制御部４１ａは、低電圧エラー信号Ｖｅｒｒの入力が停止されると、通電指令信号ＳｃｏｎｔをＯＮし、ＯＮされた通電指令信号Ｓｃｏｎｔを誘導加熱制御部３４ａへ出力すると共に、また、表示部４２に低電圧異常を示す表示信号Ｓｈの出力を停止する。表示部４２は、本体制御部４１ａから表示信号Ｓｈの入力が停止されると、低電圧異常の表示を解除する（ステップＳ３０）。
【０１２９】
誘導加熱制御部３４ａは、本体制御部４１ａからＯＮされた通電指令信号Ｓｃｏｎｔが入力されると、通電制御信号ＳをＯＮし、ＯＮされた通電制御信号ＳをＩＨ回路部３２へ出力する（ステップＳ３１）。ＩＨ回路部３２は、ＯＮされた通電制御信号Ｓが入力されると、誘導コイル１３への電力の供給を再開する。誘導コイル１３への電力の供給が再開された後、ステップＳ２４に戻る。
【０１３０】
誘導加熱制御部３４ａが、第２検出電圧値Ｖｉｎ２が基準電圧値Ｖ０より小さいと判断した場合、即ち、低電圧エラー信号Ｖｅｒｒが解除されない場合（ステップＳ３３；Ｙｅｓ）、本体制御部４１ａは、温度検出部５０から入力された検出温度Ｔが基準温度Ｔ０より小さいか否かを判断する（ステップＳ３４）。
【０１３１】
本体制御部４１ａは、検出温度Ｔが基準温度Ｔ０以上と判断した場合（ステップＳ３４；Ｎｏ）、誘導加熱制御部３４ａから入力されている低電圧エラー信号Ｖｅｒｒが解除されているか否かを判断する。即ち、誘導加熱制御部３４ａが、電圧検出部３１ａから検出される第４の電圧値としての第４検出電圧値Ｖｉｎ４が予め設定されている基準電圧値Ｖ０より小さいか否かを判断している（ステップＳ３３に戻る）。
【０１３２】
誘導加熱制御部３４ａは、第４検出電圧値Ｖｉｎ４が基準電圧値Ｖ０以上と判断した場合（ステップＳ３３；Ｎｏ）、本体制御部４１ａへの低電圧エラー信号Ｖｅｒｒの出力を停止する（ステップＳ２９）。
【０１３３】
本体制御部４１ａは、低電圧エラー信号Ｖｅｒｒの入力が停止されると、通電指令信号ＳｃｏｎｔをＯＮし、ＯＮされた通電指令信号Ｓｃｏｎｔを誘導加熱制御部３４ａへ出力すると共に、また、表示部４２に低電圧異常を示す表示信号Ｓｈの出力を停止する。表示部４２は、本体制御部４１ａから表示信号Ｓｈの入力が停止されると、低電圧異常の表示を解除する（ステップＳ３０）。
【０１３４】
誘導加熱制御部３４ａは、本体制御部４１ａからＯＮされた通電指令信号Ｓｃｏｎｔが入力されると、通電制御信号ＳをＯＮし、ＯＮされた通電制御信号ＳをＩＨ回路部３２へ出力する（ステップＳ３１）。ＩＨ回路部３２は、ＯＮされた通電制御信号Ｓが入力されると、誘導コイル１３への電力の供給を再開する。誘導コイル１３への電力の供給が再開された後、ステップＳ２４に戻る。
【０１３５】
本体制御部４１ａは、検出温度Ｔが基準温度Ｔ０より小さいと判断した場合（ステップＳ３４；Ｙｅｓ）、画像形成動作を停止するよう各部を制御すると共に、表示部４２に画像形成不可を示す表示信号Ｓｈを出力する（ステップＳ３５）。表示部４２は、本体制御部４１ａから表示信号Ｓｈが入力されると、画像形成不可であることを表示する（ステップＳ３６）。
【０１３６】
表示部４２に画像形成不可が表示されると、図３に示す画像形成装置１ａの停止処理動作（ステップＳ１４）に戻る。
【０１３７】
なお、本実施の形態１は画像形成動作時の入力電圧の動作監視及び制御について説明したが、画像形成動作を待機しているアイドリング時、誘導加熱定着器１０を定着可能な温度まで加熱させるためのウォーミングアップを行う画像形成起動処理時などの画像形成するための動作状況において有効である。
【０１３８】
図５に、本実施の形態１におけるアイドリング時の誘導加熱定着器１０の通電制御のフローチャートを示す。
図５に示すアイドリング時の誘導加熱定着器１０の通電制御は、図３に示すアイドリング時において、本体制御部４１ａの指令により加熱ローラ１１の加熱が開始され、加熱ローラ１１が規定の温度に達するまで誘導コイル１３への電力の供給が行われている場合の通電制御である。
【０１３９】
図５に示すステップＳ４１からステップＳ５５は、ステップＳ５４及びステップＳ５５以外のステップＳ４１からステップＳ５３が図４に示すステップＳ２２からステップＳ３４と同様の動作であるため、その詳細な説明は省略する。
【０１４０】
本体制御部４１ａは、検出温度Ｔが基準温度Ｔ０より小さいと判断した場合（ステップＳ５３；Ｙｅｓ）、表示部４２に低電圧異常を示す表示信号Ｓｈを出力する。
【０１４１】
表示部４２は、本体制御部４１ａから表示信号Ｓｈが入力されると、低電圧異常であることを表示する（ステップＳ５４）。
【０１４２】
本体制御部４１ａは、表示部４２へ表示信号Ｓｈを出力した後、異常処理動作を行う（ステップＳ５５）。異常時処理動作とは、アイドリング時における画像形成装置１ａの各部の動作を停止させることである。例えば、誘導コイル１３への電力の供給停止以外にも、記録材Ｐを搬送する搬送系を駆動するモータのへの電力の供給停止や、原稿読み込みの停止などである。
【０１４３】
異常処理動作が終了すると、図３に示す画像形成装置１ａの停止処理動作（ステップＳ１４）に戻る。
【０１４４】
図６に、本実施の形態１におけるアイドリング時の誘導加熱定着器１０の他の通電制御のフローチャートを示す。
図６に示すアイドリング時の誘導加熱定着器１０の通電制御は、図３に示すアイドリング時において、加熱ローラ１１が規定の温度に達しているため、加熱ローラ１１に電力が供給されていない場合の通電制御である。
【０１４５】
商用電源ＡＣから誘導加熱電源部３０ａに電力が供給されているが加熱ローラ１１が規定の温度に達しているため、本体制御部４１ａは、通電指令信号ＳｃｏｎｔをＯＦＦし、通電指令信号Ｓｃｏｎｔを誘導加熱制御部３４ａへ出力する（ステップＳ６１）。
【０１４６】
誘導加熱制御部３４ａは、本体制御部４１ａからＯＦＦされた通電指令信号Ｓｃｏｎｔが入力されると、通電制御信号ＳをＯＦＦし、通電制御信号ＳをＩＨ回路部３２へ出力する（ステップＳ６２）。ＩＨ回路部３２は、ＯＦＦされた通電制御信号Ｓが入力されると、誘導コイル１３に電力の供給を停止する。
【０１４７】
誘導加熱制御部３４ａは、通電制御信号ＳをＯＦＦした後、電圧検出部３１ａから入力される第１の電圧値としての第１検出電圧値Ｖｉｎ１が予め設定されている基準電圧値Ｖ０より小さいか否かを判断する（ステップＳ６３）。
【０１４８】
誘導加熱制御部３４ａは、第１検出電圧値Ｖｉｎ１が基準電圧値Ｖ０より小さい場合（ステップＳ６３；Ｙｅｓ）、低電圧エラー信号Ｖｅｒｒを本体制御部４１ａに出力する（ステップＳ６４）。
【０１４９】
本体制御部４１ａは、誘導加熱制御部３４ａから低電圧エラー信号Ｖｅｒｒが入力されると、タイマによる基準時間ｔ０の計時の開始と、表示部４２に低電圧異常を示す表示信号Ｓｈを出力する。表示部４２は、本体制御部４１ａから表示信号Ｓｈが入力されると、低電圧異常（即ち、低電圧異常）であることを表示する（ステップＳ６５）。
【０１５０】
誘導加熱制御部３４ａは、低電圧エラー信号Ｖｅｒｒを本体制御部４１ａに出力した後、第３の電圧値としての第３検出電圧値Ｖｉｎ３が基準電圧値Ｖ０より小さいか否かを判断する（ステップＳ６６）。
【０１５１】
誘導加熱制御部３４ａは、第３検出電圧値Ｖｉｎ３が基準電圧値Ｖ０以上と判断した場合（ステップＳ６６；Ｎｏ）、本体制御部４１ａへの低電圧エラー信号Ｖｅｒｒの出力を停止する（ステップＳ６７）。
【０１５２】
本体制御部４１ａは、低電圧エラー信号Ｖｅｒｒの入力が停止されると、表示部４２に低電圧異常を示す表示信号Ｓｈの出力を停止する。表示部４２は、本体制御部４１ａから表示信号Ｓｈの入力が停止されると、低電圧異常の表示を解除する（ステップＳ６８）。低電圧異常の表示が解除された後、ステップＳ６３に戻る。
【０１５３】
本体制御部４１ａは、基準時間ｔ０以内に、誘導加熱制御部３４ａから入力されている低電圧エラー信号Ｖｅｒｒが解除されない場合、即ち、誘導加熱制御部３４ａが、第３検出電圧値Ｖｉｎ３が基準電圧値Ｖ０より小さいと判断した場合（ステップＳ６６；Ｙｅｓ）、タイマにより計時される計時時間ｔが基準時間ｔ０を経過しているか否かを判断する（ステップＳ６９）。
【０１５４】
本体制御部４１ａは、計時時間ｔが基準時間ｔ０を経過していないと判断した場合（ステップＳ６９；Ｎｏ）、基準時間ｔ０が計時されるまで誘導加熱制御部３４ａから入力されている低電圧エラー信号Ｖｅｒｒの状態を監視する（ステップＳ６６に戻る）。
【０１５５】
本体制御部４１ａは、計時時間ｔが基準時間ｔ０を経過したと判断した場合（ステップＳ６９；Ｙｅｓ）、誘導加熱制御部３４ａから入力されている低電圧エラー信号Ｖｅｒｒが解除されているか否かを判断する。即ち、誘導加熱制御部３４ａが、電圧検出部３１ａから検出される第２の電圧値としての第２検出電圧値Ｖｉｎ２が予め設定されている基準電圧値Ｖ０より小さいか否かを判断している（ステップＳ７０）。
【０１５６】
誘導加熱制御部３４ａが、第２検出電圧値Ｖｉｎ２が基準電圧値Ｖ０以上と判断した場合（ステップＳ７０；Ｎｏ）、本体制御部４１ａへの低電圧エラー信号Ｖｅｒｒの出力を停止する（ステップＳ６７）。
【０１５７】
本体制御部４１ａは、低電圧エラー信号Ｖｅｒｒの入力が停止されると、表示部４２に低電圧異常を示す表示信号Ｓｈの出力を停止する。表示部４２は、本体制御部４１ａから表示信号Ｓｈの入力が停止されると、低電圧異常の表示を解除する（ステップＳ６８）。低電圧異常の表示が解除された後、ステップＳ６３に戻る。
【０１５８】
誘導加熱制御部３４ａが、第２検出電圧値Ｖｉｎ２が基準電圧値Ｖ０より小さいと判断した場合、即ち、低電圧エラー信号Ｖｅｒｒが解除されない場合（ステップＳ７０；Ｙｅｓ）、本体制御部４１ａは、温度検出部５０から入力された検出温度Ｔが基準温度Ｔ０より小さいか否かを判断する（ステップＳ７１）。
【０１５９】
本体制御部４１ａは、検出温度Ｔが基準温度Ｔ０以上と判断した場合（ステップＳ７１；Ｎｏ）、誘導加熱制御部３４ａから入力されている低電圧エラー信号Ｖｅｒｒが解除されているか否かを判断する。即ち、誘導加熱制御部３４ａが、電圧検出部３１ａから検出される第４の電圧値としての第４検出電圧値Ｖｉｎ４が予め設定されている基準電圧値Ｖ０より小さいか否かを判断している（ステップＳ７０に戻る）。
【０１６０】
誘導加熱制御部３４ａは、第４検出電圧値Ｖｉｎ４が基準電圧値Ｖ０以上と判断した場合（ステップＳ７０；Ｎｏ）、本体制御部４１ａへの低電圧エラー信号Ｖｅｒｒの出力を停止する（ステップＳ６７）。
【０１６１】
本体制御部４１ａは、低電圧エラー信号Ｖｅｒｒの入力が停止されると、表示部４２に低電圧異常を示す表示信号Ｓｈの出力を停止する。表示部４２は、本体制御部４１ａから表示信号Ｓｈの入力が停止されると、低電圧異常の表示を解除する（ステップＳ６８）。低電圧異常の表示が解除された後、ステップＳ６３に戻る。
【０１６２】
本体制御部４１ａは、検出温度Ｔが基準温度Ｔ０より小さいと判断した場合（ステップＳ７１；Ｙｅｓ）、表示部４２に低電圧異常を示す表示信号Ｓｈを出力する。
【０１６３】
表示部４２は、本体制御部４１ａから表示信号Ｓｈが入力されると、低電圧異常であることを表示する（ステップＳ７２）。
【０１６４】
本体制御部４１ａは、表示部４２へ表示信号Ｓｈを出力した後、異常処理動作を行う（ステップＳ７３）。
【０１６５】
異常処理動作が終了すると、図３に示す画像形成装置１ａの停止処理動作（ステップＳ１４）に戻る。
【０１６６】
図７に、本実施の形態１における画像形成起動処理時の誘導加熱定着器１０の通電制御のフローチャートを示す。
図７に示す画像形成起動処理時の誘導加熱定着器１０の通電制御は、図３に示す画像形成起動処理時において、本体制御部４１ａの指令により誘導加熱定着器１０を定着可能な温度まで加熱させるためのウォーミングアップが行われている場合の通電制御である。
【０１６７】
誘導加熱定着器１０がウォーミングアップ中の場合、加熱ローラ１１の温度は基準温度Ｔ０よりも小さい温度であるため、図４に示すステップＳ３３及びステップＳ３４と同様の通電制御は行われない。
【０１６８】
図７に示すステップＳ８１からステップＳ９３は、ステップＳ９２及びステップＳ９３以外のステップＳ８１からステップＳ９１までが図４に示すステップＳ２２からステップＳ３２と同様の動作であるため、その詳細な説明は省略する。
【０１６９】
誘導加熱制御部３４ａが計時時間ｔが基準時間ｔ０を経過したと判断した場合（ステップＳ９１；Ｙｅｓ）、本体制御部４１ａは、表示部４２に低電圧異常を示す表示信号Ｓｈを出力する。
【０１７０】
表示部４２は、本体制御部４１ａから表示信号Ｓｈが入力されると、低電圧異常であることを表示する（ステップＳ９２）。
【０１７１】
本体制御部４１ａは、表示部４２へ表示信号Ｓｈを出力した後、異常処理動作を行う（ステップＳ９３）。
【０１７２】
異常処理動作が終了すると、図３に示す画像形成装置１ａの停止処理動作（ステップＳ１４）に戻る。
【０１７３】
なお、画像形成動作時、アイドリング時、画像形成起動処理時において、基準時間ｔ０を個別に設定してもよい。
【０１７４】
従って、本実施の形態１の画像形成装置１ａは、誘導加熱電源部３０ａの入力電圧値が低下することによるＩＨ回路部３２の誤動作が生じる前に誘導加熱電源部３０ａから誘導コイル１３への電力の供給を停止させ、画像形成するための動作を停止することができる。そのため、誘導加熱電源部３０ａ（ＩＨ回路部３２）の誤動作を抑制すると共に、定着不良を低減し、良好な画像を得ることができる。更に、本実施の形態１の画像形成装置１ａは、基準時間ｔ０以内に検出電圧値Ｖｉｎが基準電圧値Ｖ０以上となった場合、ユーザが関知することなく誘導コイル１３への電力の供給を再開することができ、また、検出温度Ｔが基準温度Ｔ０以上かつ検出電圧値Ｖｉｎが基準電圧値Ｖ０以上の場合、ユーザが関知することなく誘導コイル１３への電力の供給を再開することができる。そのため、不要にユーザに画像形成を待たせることがないので、使い勝手が良く、良好な画像を得ることができる。また、定着不良が生じる恐れがあり、適切に画像形成するための動作ができないと判断した場合、画像形成するための動作を停止することができ、使い勝手を向上させることができる。
そして、本実施の形態１の画像形成装置１ａは、低電圧異常であることを表示部に表示することによって、ユーザに低電圧異常（即ち、定着加熱停止）であることを通知することができ、また、画像形成するための動作が停止されたことを表示部に表示することによって、ユーザに画像形成不可であることを通知することができ、画像形成装置１ａの電源環境の改善を促すことができる。
【０１７５】
[実施の形態２]
以下、図を参照して本発明の実施の形態２を詳細に説明する。
画像形成装置の概略及び画像形成装置の電源投入から各種画像形成するための動作の制御フローチャート例は、実施の形態１と同様の構成であるため、この図示及び説明は省略する。
【０１７６】
図８に、本実施の形態２における誘導加熱定着器１０の主要制御構成ブロック図を示す。
図８に示すように、誘導加熱定着器１０の主要制御構成は、誘導コイル１３、加熱ローラ１１、図１に示した加圧ローラ１２などから構成される誘導加熱定着器１０と、電圧検出手段及び電流検出手段としての電圧／電流検出部３１ｂ、ＩＨ（Induction Heating）回路部３２、基準電源部３３、制御手段としての誘導加熱制御部３４ｂなどの加熱電源部としての誘導加熱電源部３０ｂと、加熱ローラ１１の温度を検出する、即ち、誘導加熱定着器１０の温度を検出する手段としての温度検出部５０と、誘導コイル１３への通電制御を行う制御手段としての本体制御部４１ｂ、通知手段としての表示部４２などの本体ユニット４０等によって構成されている。
【０１７７】
なお、本実施の形態２に示す誘導加熱定着器１０の主要制御構成ブロック図の電圧／電流検出部３１ｂ、誘導加熱制御部３４ｂ、本体制御部４１ｂ以外は、実施の形態１に示す誘導加熱定着器１０の主要制御構成ブロック図と同様であるため、同様の部位に同様の符号を付し、説明は省略する。
【０１７８】
電圧／電流検出部３１ｂは、商用電源ＡＣから誘導加熱電源部３０ｂに入力される電力の入力電圧値及び入力電流値を検出する。検出された検出電圧値Ｖｉｎ及び検出電流値Ｉｉｎは、誘導加熱制御部３４ｂへ出力される。
【０１７９】
誘導加熱制御部３４ｂは、基準電源部３３からの電力の供給を受け、誘導加熱電源部３０ｂ全体の制御を行う。本体制御部４１ｂから通電制御信号Ｓｃｏｎｔが入力されると、通電指令信号Ｓｃｏｎｔに基づいて通電制御信号ＳをＩＨ回路部３２に出力し、ＩＨ回路部３２を駆動させる。通電制御信号Ｓは、ＩＨ回路部３２を動作させ誘導コイル１３への電力を供給／停止させるための信号である。
【０１８０】
ところで、ＩＨ回路部３２は、商用電源ＡＣから入力される電圧が小さい場合、入力される電流値が小さい場合又は入力される電流値が大きすぎる場合、誘導コイル１３へ適切に電力供給を行うことができない。そこで、本実施の形態２を実現させるために、誘導加熱制御部３４ｂは、電圧／電流検出部３１ｂから入力される検出電圧値Ｖｉｎと予め定められた基準電圧値Ｖ０、検出電流値Ｉｉｎと予め定められた第１の基準電流値としての第１基準電流値Ｉ０１及び第２の基準電流値としての第２基準電流値Ｉ０２とを比較し、検出電圧値Ｖｉｎが基準電圧値Ｖ０よりも小さい場合、検出電流値Ｉｉｎが第１基準電流値Ｉ０１よりも小さい場合又は検出電流値Ｉｉｎが第２基準電流値Ｉ０２よりも大きい場合、低電圧異常を示す低電圧エラー信号Ｖｅｒｒ、低電流異常又は過電流異常を示す電流エラー信号Ｉｅｒｒを本体制御部４１ｂに出力する。また、検出電圧値Ｖｉｎが基準電圧値Ｖ０以上の場合、検出電流値Ｉｉｎが第１基準電流値Ｉ０１以上又は第２基準電流値Ｉ０２以下の場合、低電圧エラー信号Ｖｅｒｒ又は電流エラー信号Ｉｅｒｒを解除する。
【０１８１】
更に、誘導加熱制御部３４ｂは、誘導加熱定着器１０の消費電力を検出する手段として、電圧／電流検出部３１ｂから入力される検出電圧値Ｖｉｎと検出電流値Ｉｉｎとに基づき、誘導加熱定着器１０の消費電力を算出する。誘導加熱制御部３４ｂは、算出した消費電力Ｗと予め定められた基準電力Ｗ０とを比較し、消費電力Ｗが基準電力Ｗ０よりも小さい場合、低電力異常を示す電力エラー信号Ｗｅｒｒを本体制御部４１ｂに出力する。誘導加熱制御部３４ｂは、消費電力Ｗが基準電力Ｗ０以上の場合、電力エラー信号Ｗｅｒｒを解除する。
【０１８２】
誘導加熱制御部３４ｂに予め設定される基準電圧値Ｖ０は、実施の形態１と同様であるため、説明は省略する。
【０１８３】
誘導加熱制御部３４ｂに予め設定される第１基準電流値Ｉ０１及び第２基準電流値Ｉ０２は、誘導加熱定着器１０やＩＨ回路部３２の耐性や、基準電源部３３の耐性によって定めることができる。また、第１基準電流値Ｉ０１第２基準電流値Ｉ０２よりも大きい。
第１基準電流値Ｉ０１は、ＩＨ回路部３２が誘導コイル１３へ適切に電力供給を行うことができない限界直前の電流値であり、第２基準電流値Ｉ０２は、ＩＨ回路部３２の誤動作や暴走を引き起こす恐れのない限界の電流値であることが好ましい。
【０１８４】
誘導加熱定着器１０は、検出電流値Ｉｉｎが第１基準電流値Ｉ０１より小さい場合、定着可能な温度を維持することができなくなり定着不良を起す原因となり、また、検出電流値Ｉｉｎが第２基準電流値Ｉ０２より大きい場合、ＩＨ回路部３２が誤動作や暴走を引き起こしＩＨ回路部３２の破損や周辺機器の破損を招くおそれがあり定着不良を起す原因となる。
【０１８５】
本体制御部４１ｂは、画像形成装置１ａ各部の動作の集中制御を行う。また、本体制御部４１ｂは、電圧／電流検出部３１ｂからの検出電圧値Ｖｉｎと検出電流値Ｉｉｎに基づいて通電指令信号Ｓｃｏｎｔを誘導加熱制御部３４ａに出力し、誘導コイル１３への通電制御（即ち、加熱ローラ１１の温度の制御）を行う。通電指令信号Ｓｃｏｎｔは、誘導コイル１３への電力の供給／停止の指示を行う信号である。
【０１８６】
本実施の形態２を実現させるために、本体制御部４１ｂは、誘導加熱制御部３４ｂから低電圧エラー信号Ｖｅｒｒ又は電流エラー信号Ｉｅｒｒが入力された場合、誘導加熱電源部３０ｂが低電圧異常、低電流異常又は過電流異常であることを認識し、表示部４２に低電圧異常、低電流異常又は過電流異常及び定着加熱停止である事をユーザ等へ通知する表示信号Ｓｈを出力する。本体制御部４１ｂは、低電圧エラー信号Ｖｅｒｒ、電流エラー信号Ｉｅｒｒが入力されなくなると、表示信号Ｓｈを解除するよう表示信号Ｓｈを制御する。
また、本体制御部４１ｂは、低電圧エラー信号Ｖｅｒｒ、電流エラー信号Ｉｅｒｒが入力された場合、本体制御部４１ｂ内の計時手段としてのタイマにより基準時間ｔ０の計時を行う。なお、タイマによる計時は、誘導加熱制御部３４ａで行われてもよく、本体制御部４１ａ及び誘導加熱制御部３４ａ共に行われてもよい。
本体制御部４１ｂは、ＩＨ回路部３２から誘導コイル１３への電力供給を停止するよう通電指令信号ＳｃｏｎｔをＯＦＦする。更に、本体制御部４１ｂは、基準時間ｔ０経過後、誘導加熱制御部３４ｂから入力される低電圧エラー信号Ｖｅｒｒ、電流エラー信号Ｉｅｒｒが解除されない場合、温度検出部５０からの検出温度Ｔが基準温度Ｔ０より小さいか否か又は電力エラー信号Ｗｅｒｒが入力されているか否かを判断し、検出温度Ｔが基準温度Ｔ０より小さい場合又は電力エラー信号Ｗｅｒｒが入力されている場合、画像形成するための動作を停止するよう画像形成装置１ａの各部を制御し、表示部４２には画像形成不可であることを表示するよう制御する。
【０１８７】
本体制御部４１ｂに予め定められている基準時間ｔ０は、実施の形態１と同様であるため、説明は省略する。
【０１８８】
次に、画像形成するための動作時における誘導加熱定着器１０の通電制御のフローチャートを示す。
【０１８９】
図９に、本実施の形態２において、画像形成動作時に電流値が低下した場合の誘導加熱定着器１０の通電制御のフローチャートを示す。
図９に示す画像形成動作時の誘導コイル１３の通電制御は、図３に示すコピー画像の画像形成動作、プリント画像の画像形成動作、送信データの画像形成動作時に行われる。
【０１９０】
画像形成装置１ａが画像形成動作時であり、商用電源ＡＣから誘導加熱電源部３０ｂに電力が供給されている場合（ステップＳ１０１）、本体制御部４１ｂは、通電指令信号ＳｃｏｎｔをＯＮし、通電指令信号Ｓｃｏｎｔを誘導加熱制御部３４ｂへ出力する（ステップＳ１０２）。
【０１９１】
誘導加熱制御部３４ｂは、本体制御部４１ｂからＯＮされた通電指令信号Ｓｃｏｎｔが入力されると、通電制御信号ＳをＯＮし、通電制御信号ＳをＩＨ回路部３２へ出力する（ステップＳ１０３）。
【０１９２】
ＩＨ回路部１０３は、ＯＮされた通電制御信号Ｓが入力されると、誘導コイル１３に電力を供給し加熱ローラ１１を加熱させる。このとき、画像形成装置１ａ内の各部は画像形成動作を行うが、本実施の形態では誘導加熱定着器１０の動作のみ説明する。
【０１９３】
誘導加熱制御部３４ｂは、通電制御信号ＳをＯＮした後、電圧／電流検出部３１ｂから入力される第１の電流値としての第１検出電流値Ｉｉｎ１が予め設定されている第１基準電流値Ｉ０１よりも小さいか否かを判断する（ステップＳ１０４）。
【０１９４】
誘導加熱制御部３４ｂは、第１検出電流値Ｉｉｎ１が第１基準電流値Ｉ０１よりも小さい場合（ステップＳ１０４；Ｙｅｓ）、電流エラー信号Ｉｅｒｒを本体制御部４１ｂへ出力する（ステップＳ１０５）。
【０１９５】
本体制御部４１ｂは、誘導加熱制御部３４ｂから電流エラー信号Ｉｅｒｒが入力されると、通電指令信号ＳｃｏｎｔをＯＦＦし、ＯＦＦされた通電指令信号Ｓｃｏｎｔを誘導加熱制御部３４ｂへ出力する。また、本体制御部４１ｂは、タイマによる基準時間ｔ０の計時の開始と、表示部４２へ低電流異常を示す表示信号Ｓｈを出力する。表示部４２は、本体制御部４１ｂから表示信号Ｓｈが入力されると、低電流異常（即ち、定着加熱停止）であることを表示する（ステップＳ１０６）。
【０１９６】
誘導加熱制御部３４ｂは、本体制御部４１ｂからＯＦＦされた通電指令信号Ｓｃｏｎｔが入力されると、通電制御信号ＳをＯＦＦし、ＯＦＦされた通電制御信号ＳをＩＨ回路部３２へ出力する（ステップＳ１０７）。ＩＨ回路部３２は、ＯＦＦされた通電制御信号Ｓが入力されると、誘導コイル１３への電力の供給を停止する。
【０１９７】
誘導加熱制御部３４ｂは、ＯＦＦされた通電制御信号ＳをＩＨ回路部３２へ出力した後、第３の電流値としての第３検出電流値Ｉｉｎ３が第１基準電流値Ｉ０１より小さいか否かを判断する（ステップＳ１０８）。
【０１９８】
誘導加熱制御部３４ｂは、第３検出電流値Ｉｉｎ３が第１基準電流値Ｉ０１以上と判断した場合（ステップＳ１０８；Ｎｏ）、本体制御部４１ｂへの電流エラー信号Ｉｅｒｒの出力を停止する（ステップＳ１０９）。
【０１９９】
本体制御部４１ｂは、電流エラー信号Ｉｅｒｒの入力が停止されると、通電指令信号ＳｃｏｎｔをＯＮし、ＯＮされた通電指令信号Ｓｃｏｎｔを誘導加熱制御部３４ｂへ出力すると共に、また、表示部４２に低電流異常を示す表示信号Ｓｈの出力を停止する。表示部４２は、本体制御部４１ｂから表示信号Ｓｈの入力が停止されると、低電流異常の表示を解除する（ステップＳ１１０）。
【０２００】
誘導加熱制御部３４ｂは、本体制御部４１ｂからＯＮされた通電指令信号Ｓｃｏｎｔが入力されると、通電制御信号ＳをＯＮし、ＯＮされた通電制御信号ＳをＩＨ回路部３２へ出力する（ステップＳ１１１）。ＩＨ回路部３２は、ＯＮされた通電制御信号Ｓが入力されると、誘導コイル１３への電力の供給を再開する。誘導コイル１３への電力の供給が再開された後、ステップＳ１０４に戻る。
【０２０１】
本体制御部４１ｂは、基準時間ｔ０以内に、誘導加熱制御部３４ｂから入力されている低電流エラー信号Ｉｅｒｒが解除されない場合、即ち、誘導加熱制御部３４ｂが、第３検出電流値Ｉｉｎ３が第１基準電流値Ｉ０１より小さいと判断した場合（ステップＳ１０８；Ｙｅｓ）、タイマにより計時される計時時間ｔが基準時間ｔ０を経過しているか否かを判断する（ステップＳ１１２）。
【０２０２】
本体制御部４１ｂは、計時時間ｔが基準時間ｔ０を経過していないと判断した場合（ステップＳ１１２；Ｎｏ）、基準時間ｔ０が計時されるまで誘導加熱制御部３４ｂから入力されている電流エラー信号Ｉｅｒｒの状態を監視する（ステップＳ１０８に戻る）。
【０２０３】
本体制御部４１ｂは、計時時間ｔが基準時間ｔ０を経過したと判断した場合（ステップＳ１１２；Ｙｅｓ）、誘導加熱制御部３４ｂから入力されている電流エラー信号Ｉｅｒｒが解除されているか否かを判断する。即ち、誘導加熱制御部３４ｂが、電圧／電流検出部３１ｂから検出される第２の電流値としての第２検出電流値Ｉｉｎ２が予め設定されている第１基準電流値Ｉ０１より小さいか否かを判断している（ステップＳ１１３）。
【０２０４】
誘導加熱制御部３４ｂが、第２検出電流値Ｉｉｎ２が第１基準電流値Ｉ０１以上と判断した場合（ステップＳ１１３；Ｎｏ）、本体制御部４１ｂへの電流エラー信号Ｉｅｒｒの出力を停止する（ステップＳ１０９）。
【０２０５】
本体制御部４１ｂは、電流エラー信号Ｉｅｒｒの入力が停止されると、通電指令信号ＳｃｏｎｔをＯＮし、ＯＮされた通電指令信号Ｓｃｏｎｔを誘導加熱制御部３４ｂへ出力すると共に、また、表示部４２に低電流異常を示す表示信号Ｓｈの出力を停止する。表示部４２は、本体制御部４１ｂから表示信号Ｓｈの入力が停止されると、低電流異常の表示を解除する（ステップＳ１１０）。
【０２０６】
誘導加熱制御部３４ｂは、本体制御部４１ｂからＯＮされた通電指令信号Ｓｃｏｎｔが入力されると、通電制御信号ＳをＯＮし、ＯＮされた通電制御信号ＳをＩＨ回路部３２へ出力する（ステップＳ１１１）。ＩＨ回路部３２は、ＯＮされた通電制御信号Ｓが入力されると、誘導コイル１３への電力の供給を再開する。誘導コイル１３への電力の供給が再開された後、ステップＳ１０４に戻る。
【０２０７】
誘導加熱制御部３４ｂが、第２検出電流値Ｉｉｎ２が第１基準電流値Ｉ０１より小さいと判断した場合、即ち、電流エラー信号Ｉｅｒｒが解除されない場合（ステップＳ１１３；Ｙｅｓ）、本体制御部４１ｂは、温度検出部５０から入力された検出温度Ｔが基準温度Ｔ０より小さいか又は電力エラー信号Ｗｅｒｒが入力されているか否か（即ち、誘導加熱制御部３４ｂが、算出した消費電力Ｗが基準電力Ｗ０より小さいか否かを判断し、電力エラー信号Ｗｅｒｒを出力しているか否か。）を判断する（ステップＳ１１４）。
【０２０８】
本体制御部４１ａは、検出温度Ｔが基準温度Ｔ０以上又は電力エラー信号Ｗｅｒｒが入力されている（即ち、消費電力Ｗが基準電力Ｗ０以上）と判断した場合（ステップＳ１１４；Ｎｏ）、誘導加熱制御部３４ｂから入力されている電流エラー信号Ｉｅｒｒが解除されているか否かを判断する。即ち、誘導加熱制御部３４ｂが、電圧／電流検出部３１ｂから検出される第４の電流値としての第４検出電流値Ｉｉｎ４が予め設定されている第１基準電流値Ｉ０１より小さいか否かを判断している（ステップＳ１１３に戻る）。
【０２０９】
誘導加熱制御部３４ｂは、第４検出電流値Ｉｉｎ４が第１基準電流値Ｉ０１以上と判断した場合（ステップＳ１１３；Ｎｏ）、本体制御部４１ｂへの電流エラー信号Ｉｅｒｒの出力を停止する（ステップＳ１０９）。
【０２１０】
本体制御部４１ｂは、電流エラー信号Ｉｅｒｒの入力が停止されると、通電指令信号ＳｃｏｎｔをＯＮし、ＯＮされた通電指令信号Ｓｃｏｎｔを誘導加熱制御部３４ｂへ出力すると共に、また、表示部４２に低電流異常を示す表示信号Ｓｈの出力を停止する。表示部４２は、本体制御部４１ｂから表示信号Ｓｈの入力が停止されると、低電流異常の表示を解除する（ステップＳ１１０）。
【０２１１】
誘導加熱制御部３４ｂは、本体制御部４１ｂからＯＮされた通電指令信号Ｓｃｏｎｔが入力されると、通電制御信号ＳをＯＮし、ＯＮされた通電制御信号ＳをＩＨ回路部３２へ出力する（ステップＳ１１１）。ＩＨ回路部３２は、ＯＮされた通電制御信号Ｓが入力されると、誘導コイル１３への電力の供給を再開する。誘導コイル１３への電力の供給が再開された後、ステップＳ１０４に戻る。
【０２１２】
本体制御部４１ｂは、検出温度Ｔが基準温度Ｔ０より小さい又は電力エラー信号Ｗｅｒｒが入力されている（即ち、消費電力Ｗが基準電力Ｗ０より小さい）と判断した場合（ステップＳ１１４；Ｙｅｓ）、画像形成動作を停止するよう各部を制御すると共に、表示部４２に画像形成不可を示す表示信号Ｓｈを出力する（ステップＳ１１５）。表示部４２は、本体制御部４１ｂから表示信号Ｓｈが入力されると、画像形成不可であることを表示する（ステップＳ１１６）。
【０２１３】
表示部４２に画像形成不可が表示されると、図３に示す画像形成装置１ａの停止処理動作（ステップＳ１４）に戻る。
【０２１４】
このように、本実施の形態２の画像形成装置１ａは、誘導加熱電源部３０ｂの入力電流値の低下が生じたら誘導加熱電源部３０ｂから誘導コイル１３への電力の供給を停止し、定着不良が生じる前に画像形成するための動作を停止させることができる。そのため、誘導加熱電源部３０ｂ（ＩＨ回路部３２）の誤動作を抑制すると共に、定着不良を低減し、良好な画像を得ることができる。更に、本実施の形態２の画像形成装置１ａは、基準時間ｔ０以内に検出電流値Ｉｉｎが第１基準電流値Ｉ０１以上となった場合、ユーザが関知することなく誘導コイル１３への電力の供給を再開することができ、また、検出温度Ｔが基準温度Ｔ０以上又は消費電力Ｗが基準出力Ｗ０以上かつ検出電流値Ｉｉｎが第１基準電流値Ｉ０１以上の場合、ユーザが関知することなく誘導コイル１３への電力の供給を再開することができる。そのため、不要にユーザに画像形成を待たせることがないので、使い勝手が良く、良好な画像を得ることができる。また、定着不良が生じる恐れがあり、適切に画像形成するための動作ができないと判断した場合、画像形成するための動作を停止することができ、使い勝手を向上させることができる。
そして、本実施の形態２の画像形成装置１ａは、低電流異常であることを表示部に表示することによって、ユーザに低電流異常であることを通知することができ、また、画像形成するための動作が停止されたことを表示部に表示することによって、ユーザに画像形成不可であることを通知することができ、画像形成装置１ａの電源環境の改善を促すことができる。
【０２１５】
図１０に、本実施の形態２において、画像形成動作時に電流値が増加した場合の誘導加熱定着器１０の通電制御のフローチャートを示す。
図１０に示す画像形成動作時の誘導コイル１３の通電制御は、図３に示すコピー画像の画像形成動作、プリント画像の画像形成動作、送信データの画像形成動作時に行われる。
【０２１６】
図１０に示すステップＳ１２１からステップＳ１３６は、図９に示す第１基準電流値Ｉ０１が第２基準電流値Ｉ０２となり、ステップＳ１２４、ステップ１２８、ステップＳ１３３において第１〜４検出電流値Ｉｉｎ１〜Ｉｉｎ４が第２基準電流値Ｉ０２より大きいか否かと判断されること以外は、同様の動作であるため、その詳細な説明は省略する。
【０２１７】
このように、本実施の形態２の画像形成装置１ａは、誘導加熱電源部３０ｂに過電流等が生じることによって電流値が増加した場合、ＩＨ回路部３２の誤動作や暴走が生じる前に誘導加熱電源部３０ｂから誘導コイル１３への電力の供給を停止させ、画像形成するための動作を停止することができる。そのため、誘導加熱電源部３０ｂ（ＩＨ回路部３２）の誤動作を抑制すると共に、定着不良を低減し、良好な画像を得ることができる。更に、本実施の形態２の画像形成装置１ａは、基準時間ｔ０以内に検出電流値Ｉｉｎが第２基準電流値Ｉ０２以下となった場合、ユーザが関知することなく誘導コイル１３への電力の供給を再開することができ、また、検出温度Ｔが基準温度Ｔ０以上又は消費電力Ｗが基準電力Ｗ０以上かつ検出電流値Ｉｉｎが第２基準電流値Ｉ０２以下の場合、ユーザが関知することなく誘導コイル１３への電力の供給を再開することができる。そのため、不要にユーザに画像形成を待たせることがないので、使い勝手が良く、良好な画像を得ることができる。また、定着不良が生じる恐れがあり、適切に画像形成するための動作ができないと判断した場合、画像形成するための動作を停止することができ、使い勝手を向上させることができる。
そして、本実施の形態２の画像形成装置１ａは、過電流異常であることを表示部に表示することによって、ユーザに過電流異常であることを通知することができ、また、画像形成するための動作が停止されたことを表示部に表示することによって、ユーザに画像形成不可であることを通知することができ、画像形成装置１ａの電源環境の改善を促すことができる。
【０２１８】
なお、本実施の形態２は画像形成動作時の入力電流値の監視及び制御について説明したが、画像形成動作を待機しているアイドリング時、誘導加熱定着器１０を定着可能な温度まで加熱させるためのウォーミングアップを行う画像形成起動処理時などの画像形成するための動作状況において有効である。
【０２１９】
また、画像形成動作時、アイドリング時、画像形成起動処理時に電圧値が低下した場合の誘導加熱定着器１０の通電制御のフローチャートは、実施の形態１と本実施の形態２に説明した検出電流値Ｉｉｎに基づく誘導加熱定着器１０の通電制御のフローチャートとを援用して実現することができるため、説明は省略する。
【０２２０】
[実施の形態３]
以下、図を参照して本発明の実施の形態３を詳細に説明する。
本実施の形態３は、加熱手段として発熱抵抗体６３が用いられた定着器を備えた画像形成装置１ｂを説明する。
画像形成装置１ｂの概略及び画像形成装置１ｂの電源投入から各種画像形成するための動作の制御フローチャート例は、実施の形態１とほぼ同様の構成であるため、この図示及び説明は省略する。
【０２２１】
なお、本実施の形態３では、加熱手段として発熱抵抗体６３を用いた定着器を説明するが、加熱手段としてハロゲンランプ等を用いることもできる。
【０２２２】
図１１に、本実施の形態３における定着器の主要制御構成ブロック図を示す。
図１１に示すように、定着器の主要制御構成は、発熱抵抗体６３、加熱ローラ１１、図１に示した加圧ローラ１２などから構成される定着器と、電圧検出手段及び電流検出手段としての電圧／電流検出部３１ｃ、ＩＨ（Induction Heating）回路部３２、基準電源部３３ｃなどの加熱電源部としての加熱電源部３０ｃと、加熱ローラ１１の温度を検出する、即ち、定着器６０の温度を検出する手段としての温度検出部５０と、発熱抵抗体６３への通電制御を行う制御手段としての本体制御部４１ｃ、通知手段としての表示部４２などの本体ユニット４０ｃ等によって構成されている。
【０２２３】
なお、本実施の形態３に示す定着器６０の主要制御構成ブロック図の電圧／電流検出部３１ｃ、基準電源部３３ｃ、本体制御部４１ｃ以外は、実施の形態１に示す誘導加熱定着器１０の主要制御構成ブロック図と同様であるため、同様の部位に同様の符号を付し、説明は省略する。
【０２２４】
電圧／電流検出部３１ｃは、商用電源ＡＣから加熱電源部３０ｃに入力される電力の入力電圧値及び入力電流値を検出する。検出された検出電圧値Ｖｉｎ及び検出電流値Ｉｉｎは、本体制御部４１ｃに出力される。
【０２２５】
基準電源部３３ｃは、本体制御部４１ｃの駆動用電源である。基準電源部３３ｃは、商用電源ＡＣから誘導加熱電源部３０ｃに入力された電力を分岐し、本体制御部４１ｃに電力を供給する。
【０２２６】
本体制御部４１ｃは、基準電源部３３ｃからの電力の供給を受け、加熱電源部３０ｃ全体の制御や、画像形成装置１ｂ各部の動作の集中制御を行う。
また、本体制御部４１ｃは、定着制御部４１ｃ１とメイン制御部４１ｃ２とを備える。
【０２２７】
定着制御部４１ｃ１は、実施の形態２に示す誘導加熱制御部３４ｂと同様の動作を行い、メイン制御部４１ｃ２は、実施の形態２に示す本体制御部４１ｂと同様の動作を行うため、説明は省略する。
【０２２８】
また、本実施の形態３の動作は、実施の形態２の動作を援用して実現することができるため、図示及び説明は省略する。
【図面の簡単な説明】
【０２２９】
【図１】本実施の形態１における画像形成装置１ａの概略構成図である。
【図２】本実施の形態１における誘導加熱定着器１０の主要制御構成ブロック図である。
【図３】画像形成装置１ａの電源投入から各種画像形成するための動作の制御フローチャート例である。
【図４】本実施の形態１における画像形成動作時の誘導加熱定着器１０の通電制御のフローチャートを示す。
【図５】本実施の形態１におけるアイドリング時の誘導加熱定着器１０の通電制御のフローチャートである。
【図６】本実施の形態１におけるアイドリング時の誘導加熱定着器１０の他の通電制御のフローチャートである。
【図７】本実施の形態１における画像形成起動処理時の誘導加熱定着器１０の通電制御のフローチャートである。
【図８】本実施の形態２における誘導加熱定着器１０の主要制御構成ブロック図である。
【図９】本実施の形態２において、画像形成動作時に電流値が低下した場合の誘導加熱定着器１０の通電制御のフローチャートである。
【図１０】本実施の形態２において、画像形成動作時に電流値が増加した場合の誘導加熱定着器１０の通電制御のフローチャートである。
【図１１】本実施の形態３における定着器の主要制御構成ブロック図である。
【符号の説明】
【０２３０】
１ａ、１ｂ  画像形成装置
１０  誘導加熱定着器
１１  加熱ローラ
１２  加圧ローラ
１３  誘導コイル
２０  感光ドラム
２１  帯電器
２２  露光手段
２３  現像器
２４  転写手段
２５  クリーナ
３０ａ、３０ｂ、３０ｃ  誘導加熱電源部
３１ａ  電圧検出部
３１ｂ、３１ｃ  電圧／電流検出部
３２  ＩＨ回路部
３３、３３ｃ  基準電源部
３４ａ、３４ｂ  誘導加熱制御部
４０ａ、４０ｂ、４０ｃ  本体ユニット
４１ａ、４１ｂ、４１ｃ  本体制御部
４１ｃ１  メイン制御部
４１ｃ２  定着制御部
４２  表示部
５０  温度検出部
６３  発熱抵抗体
ＡＣ  商用電源
Ｉ０１  第１基準電流値
Ｉ０２  第２基準電流値
Ｉｅｒｒ  電流エラー信号
Ｉｉｎ  検出電流値
Ｉｉｎ１、Ｉｉｎ２、Ｉｉｎ３、Ｉｉｎ４  第１、２、３、４検出電流値
Ｎ  ニップ部
Ｐ  記録材
Ｓ  通電制御信号
Ｓｃｏｎｔ  通電指令信号
Ｓｈ  表示信号
Ｔ  検出温度
Ｔ０  基準温度
ｔ  計時時間
ｔ０  基準時間
Ｖ０  基準電圧値
Ｖｅｒｒ  低電圧エラー信号
Ｖｉｎ  検出電圧値
Ｖｉｎ１、Ｖｉｎ２、Ｖｉｎ３、Ｖｉｎ４  第１、２、３、４検出電圧値
Ｗ  消費電力
Ｗ０  基準電力
Ｗｅｒｒ  電力エラー信号
【図１】
2005115323.tif 000003
【図２】
2005115323.tif 000004
【図３】
2005115323.tif 000005
【図４】
2005115323.tif 000006
【図５】
2005115323.tif 000007
【図６】
2005115323.tif 000008
【図７】
2005115323.tif 000009
【図８】
2005115323.tif 000010
【図９】
2005115323.tif 000011
【図１０】
2005115323.tif 000012
【図１１】
2005115323.tif 000013